(57)【特許請求の範囲】
【請求項１】
映像を表示する表示パネルと、
前記表示パネルを照明する照明装置と、
前記表示パネルおよび前記照明装置を駆動する駆動回路と
を備え、
前記照明装置は、
離間して互いに対向配置された第１透明基板および第２透明基板と、
前記第１透明基板または前記第２透明基板の端面に光を照射する光源と、
前記第１透明基板および前記第２透明基板の間隙に設けられ、かつ電位差に応じて、前記光源からの光に対して散乱性もしくは透明性を示す光変調層と、
前記光変調層を挟み込む第１電極および第２電極と
を有し、
前記第１電極および前記第２電極は、ともに、複数の帯状電極からなり、
前記第１電極の帯状電極と、前記第２電極の帯状電極とは、互いに交差する方向に延在しており、
前記駆動回路は、二次元映像、三次元映像、または二次元映像と三次元映像とを混在させた映像を前記表示パネルに表示させる際に、前記第１電極の帯状電極と、前記第２電極の帯状電極との電位差の面内分布が１フレーム期間内で不変となるように、各帯状電極を駆動するようになっており、
前記駆動回路は、二次元映像の表示領域に対応する第１領域において面発光となるように各帯状電極を駆動し、三次元映像の表示領域に対応する第２領域において線状発光となるように各帯状電極を駆動するようになっており、
前記第２電極の複数の帯状電極は、前記面発光の生成に用いられる複数の第１帯状電極と、前記面発光および前記線状発光の生成に用いられる複数の第２帯状電極とからなり、
前記光変調層は、電圧印加時に散乱状態となり、電圧無印加時に透過状態となるノーマリーブラックの構成となっており、
前記駆動回路は、二次元映像と三次元映像とを混在させた映像を前記表示パネルに表示させる際に、前記第１電極を構成する複数の帯状電極のうち前記第２領域を通過する帯状電極と、前記複数の第１帯状電極のうち前記第２領域を通過する帯状電極とに対して、固定電位を印加し、
前記駆動回路は、二次元映像と三次元映像とを混在させた映像を前記表示パネルに表示させる際に、前記第１電極を構成する複数の帯状電極のうち前記第２領域を通過しない帯状電極と、前記複数の第１帯状電極のうち前記第２領域を通過しない帯状電極と、各第２帯状電極とに対して、位相が互いに同期した交流電位を印加するようになっている
表示装置。
【請求項２】
前記固定電位は、グラウンド電位であり、
前記交流電位の振幅（ＲＭＳ）は、当該交流電位だけが前記光変調層に印加されたときに、前記光変調層が透明性から散乱性に移行する閾値電位と同じか、それよりも大きな値となっている
請求項１に記載の表示装置。
【請求項３】
映像を表示する表示パネルと、
前記表示パネルを照明する照明装置と、
前記表示パネルおよび前記照明装置を駆動する駆動回路と
を備え、
前記照明装置は、
離間して互いに対向配置された第１透明基板および第２透明基板と、
前記第１透明基板または前記第２透明基板の端面に光を照射する光源と、
前記第１透明基板および前記第２透明基板の間隙に設けられ、かつ電位差に応じて、前記光源からの光に対して散乱性もしくは透明性を示す光変調層と、
前記光変調層を挟み込む第１電極および第２電極と
を有し、
前記第１電極および前記第２電極は、ともに、複数の帯状電極からなり、
前記第１電極の帯状電極と、前記第２電極の帯状電極とは、互いに交差する方向に延在しており、
前記駆動回路は、二次元映像、三次元映像、または二次元映像と三次元映像とを混在させた映像を前記表示パネルに表示させる際に、前記第１電極の帯状電極と、前記第２電極の帯状電極との電位差の面内分布が１フレーム期間内で不変となるように、各帯状電極を駆動するようになっており、
前記駆動回路は、二次元映像の表示領域に対応する第１領域において面発光となるように各帯状電極を駆動し、三次元映像の表示領域に対応する第２領域において線状発光となるように各帯状電極を駆動するようになっており、
前記第２電極の複数の帯状電極は、前記面発光の生成に用いられる複数の第１帯状電極と、前記面発光および前記線状発光の生成に用いられる複数の第２帯状電極とからなり、
前記光変調層は、電圧印加時に透過状態となり、電圧無印加時に散乱状態となるノーマリーホワイトの構成となっており、
前記駆動回路は、二次元映像と三次元映像とを混在させた映像を前記表示パネルに表示させる際に、前記第１電極を構成する複数の帯状電極のうち前記第２領域を通過しない帯状電極と、各第２帯状電極と、前記複数の第１帯状電極うち前記第２領域を通過しない帯状電極とに対して、固定電位を印加し、
前記駆動回路は、二次元映像と三次元映像とを混在させた映像を前記表示パネルに表示させる際に、前記第１電極を構成する複数の帯状電極のうち前記第２領域を通過する帯状電極と、前記複数の第１帯状電極のうち前記第２領域を通過する帯状電極とに対して、位相が互いに同期した交流電位を印加するようになっている
表示装置。
【請求項４】
前記固定電位は、グラウンド電位であり、
前記交流電位の振幅（ＲＭＳ）は、当該交流電位だけが前記光変調層に印加されたときに、前記光変調層が散乱性から透明性に移行する閾値電位と同じか、それよりも小さな値となっている
請求項３に記載の表示装置。
【発明の詳細な説明】
【技術分野】
【０００１】
本技術は、二次元表示（平面表示）と三次元表示（立体表示）を行うことの可能な表示装置に関する。
【背景技術】
【０００２】
三次元表示の可能な表示装置には、専用の眼鏡をかけることが必要なものと、専用の眼鏡が不要なものがある。後者の表示装置では、裸眼で立体映像を視認することができるようにするために、レンチキュラーレンズや、視差バリア（パララックスバリア）が用いられている。これらによって、映像情報が左右の目に振り分けられることにより、左右の目で異なる映像が観察され、その結果、三次元表示が可能となる。
【０００３】
三次元表示の可能な表示装置では、二次元表示だけを行う従来型の表示装置と同様、高画質化や薄型化が求められている。そのため、例えば、特許文献１では、エッジライト方式で、バックライトの光強度を部分的に変調する方策が提案されている。
【０００４】
特許文献１に記載のバックライトは、導光板と、導光板の側面に配置された光源と、導光板に接着された光変調素子と、光変調素子を駆動する駆動回路とにより構成されている。光変調素子は、高分子分散液晶（ＰＤＬＣ；Polymer Dispersed Liquid Crystal）と、ＰＤＬＣを挟み込む一対の電極とにより構成されている。各電極は、例えば、複数の帯状電極で構成されており、ＰＤＬＣの上側の帯状電極と、ＰＤＬＣの下側の帯状電極とは、互いに直交している。駆動回路は、例えば、各帯状電極を単純マトリクス駆動することにより、ＰＤＬＣを部分的に散乱状態にしたり、透過状態にしたりし、ＰＤＬＣの散乱領域から照明光を出射させるようになっている。
【先行技術文献】
【特許文献】
【０００５】
【特許文献１】特開２０１１−１４２０６５号公報
【発明の概要】
【発明が解決しようとする課題】
【０００６】
ところで、特許文献１に記載のバックライトにおいて、照明光の面内における部分的な出射をより細かくしようとすると、帯状電極の数を増やすことが必要となる。しかし、帯状電極の数が多くなるにつれて、短時間の間に全ての帯状電極を単純マトリクス駆動することが徐々に難しくなる。そこで、例えば、一方の電極を面状電極（ベタ膜）とし、他方の電極を、２次元配置された複数の微小電極で構成し、各微小電極にＴＦＴを接続し、各微小電極をアクティブマトリクス駆動することが考えられる。しかし、そのようにした場合には、バックライトの製造コストが増大してしまう。
【０００７】
本技術はかかる問題点に鑑みてなされたもので、その目的は、低コストで照明光の面内における部分的な出射をより細かくすることの可能な表示装置を提供することにある。
【課題を解決するための手段】
【０００８】
本技術の第１および第２の表示装置は、映像を表示する表示パネルと、表示パネルを照明する照明装置と、表示パネルおよび照明装置を駆動する駆動回路とを備えている。照明装置は、離間して互いに対向配置された第１透明基板および第２透明基板と、第１透明基板また第２透明基板の端面に光を照射する光源とを有している。照明装置は、さらに、第１透明基板および第２透明基板の間隙に設けられ、かつ電位差に応じて、光源からの光に対して散乱性もしくは透明性を示す光変調層と、光変調層を挟み込む第１電極および第２電極とを有している。第１電極および第２電極は、ともに、複数の帯状電極からなる。第１電極の帯状電極と、第２電極の帯状電極とは、互いに交差する方向に延在している。駆動回路は、二次元映像、三次元映像、または二次元映像と三次元映像とを混在させた映像を表示パネルに表示させる際に、第１電極の帯状電極と、第２電極の帯状電極との電位差の面内分布が１フレーム期間内で不変となるように、各帯状電極を駆動するようになっている。駆動回路は、二次元映像の表示領域に対応する第１領域において面発光となるように各帯状電極を駆動し、三次元映像の表示領域に対応する第２領域において線状発光となるように各帯状電極を駆動するようになっている。第２電極の複数の帯状電極は、面発光の生成に用いられる複数の第１帯状電極と、面発光および線状発光の生成に用いられる複数の第２帯状電極とからなる。
本技術の第１の表示装置において、光変調層は、電圧印加時に散乱状態となり、電圧無印加時に透過状態となるノーマリーブラックの構成となっている。駆動回路は、二次元映像と三次元映像とを混在させた映像を表示パネルに表示させる際に、第１電極を構成する複数の帯状電極のうち第２領域を通過する帯状電極と、複数の第１帯状電極のうち第２領域を通過する帯状電極とに対して、固定電位を印加する。駆動回路は、二次元映像と三次元映像とを混在させた映像を表示パネルに表示させる際に、第１電極を構成する複数の帯状電極のうち第２領域を通過しない帯状電極と、複数の第１帯状電極のうち第２領域を通過しない帯状電極と、各第２帯状電極とに対して、位相が互いに同期した交流電位を印加する。
本技術の第２の表示装置において、光変調層は、電圧印加時に透過状態となり、電圧無印加時に散乱状態となるノーマリーホワイトの構成となっている。駆動回路は、二次元映像と三次元映像とを混在させた映像を表示パネルに表示させる際に、第１電極を構成する複数の帯状電極のうち第２領域を通過しない帯状電極と、各第２帯状電極と、複数の第１帯状電極うち第２領域を通過しない帯状電極とに対して、固定電位を印加する。駆動回路は、二次元映像と三次元映像とを混在させた映像を表示パネルに表示させる際に、第１電極を構成する複数の帯状電極のうち第２領域を通過する帯状電極と、複数の第１帯状電極のうち第２領域を通過する帯状電極とに対して、位相が互いに同期した交流電位を印加する。
【０００９】
本技術の表示装置では、帯状電極によって生成される電位差に応じて、光源からの光に対して散乱性もしくは透明性を示す光変調層が照明装置内に設けられている。これにより、光源から発せられ、第１透明基板等を伝播する光は、光変調層のうち、電位差制御によって透明性を示す領域を透過し、照明装置の上面において全反射されるか、または高反射率で反射される。一方、第１透明基板等を伝播する光は、光変調層のうち、電位差制御によって散乱性を示す領域で散乱され、照明装置の上面を透過する。そのため、照明装置の光射出領域のうち透明性を示す領域と対応する領域（以下、単に「光射出領域における透明領域」とする）からは、照明光がほとんど出射されない。また、照明装置の光射出領域のうち散乱性を示す領域と対応する領域（以下、単に「光射出領域における散乱領域」とする）から、照明光が出射される。このように、本技術の表示装置では、帯状電極のレイアウトおよび印加電圧に応じて、光変調層の一部から照明光を出射させたり、光変調層全体から照明光を出射させたりすることができるので、三次元表示と二次元表示を切り替えることができる。さらに、本技術では、二次元映像、三次元映像、または二次元映像と三次元映像とを混在させた映像を表示パネルに表示させる際に、第１電極の帯状電極と、第２電極の帯状電極との電位差の面内分布が１フレーム期間内で不変となるように、各帯状電極が駆動される。そのため、駆動方法に依って帯状電極の数が制限されない。
【発明の効果】
【００１０】
本技術による表示装置によれば、光変調層に対する電位差制御により三次元表示と二次元表示を切り替えることができ、かつ駆動方法に依って帯状電極の数が制限されないようにしたので、必要に応じて、帯状電極の数を増やし、照明光の面内における部分的な出射をより細かくすることができる。従って、低コストで照明光の面内における部分的な出射をより細かくすることができる。
【図面の簡単な説明】
【００１１】
【図１】本技術の一実施の形態に係るテレビ放送信号の受送信システムの一例を表す図である。
【図２】図１の受信側装置の機能ブロックの一例を表す図である。
【図３】図１の受信側装置における表示部の構成の一例を表す断面図である。
【図４】図３の光源の配置の一例を表す斜視図である。
【図５】図３の光変調素子の構成の一例を表す断面図である。
【図６】図５の下側電極の構成の一例を表す平面図である。
【図７】図３の光変調素子の構成の他の例を表す断面図である。
【図８】図７の下側電極の構成の一例を表す平面図である。
【図９】図５、図７の上側電極の構成の一例を表す平面図である。
【図１０】図５、図７の光変調層がノーマリーブラック型であって、かつ水平配向型となっている場合の、光変調層の作用の一例を説明するための模式図である。
【図１１】図５、図７の光変調層がノーマリーブラック型であって、かつ水平配向型となっている場合の、光変調層の作用の他の例を説明するための模式図である。
【図１２】図３のバックライトの作用の一例を説明するための模式図である。
【図１３】照明光の偏向方向と表示パネルの下側の偏光板の偏光軸との関係の一例を表す斜視図である。
【図１４】照明光の偏向方向と表示パネルの下側の偏光板の偏光軸との関係の他の例を表す斜視図である。
【図１５】バックライトの照明光の分布の一例を表す平面図である。
【図１６】バックライトの光出射面をエリアごとに区分した様子を表す図である。
【図１７】バックライトに印加される駆動信号の一例を表す波形図である。
【図１８】図１７に示した駆動信号でバックライトが駆動されたときに光変調セルに印加される電位差の一例を表す波形図である。
【図１９】光変調セルに印加される電圧（印加電圧）と、光変調セルから出射される照明光の白色度との関係の一例を表す関係図である。
【図２０】二次元表示の中に三次元表示が混在している様子の一例を、受信側装置の断面から見たときの模式図である。
【図２１】図６の下側電極の構成の第１変形例を表す平面図である。
【図２２】図８の下側電極の構成の第１変形例を表す平面図である。
【図２３】バックライトの照明光の分布の第１変形例を表す平面図である。
【図２４】図６の下側電極の構成の第２変形例を表す平面図である。
【図２５】図８の下側電極の構成の第２変形例を表す平面図である。
【図２６】バックライトの照明光の分布の第２変形例を表す平面図である。
【図２７】図５、図７の光変調層がノーマリーブラック型であって、かつ垂直配向型となっている場合の、光変調層の作用の一例を説明するための模式図である。
【図２８】図５、図７の光変調層がノーマリーブラック型であって、かつ垂直配向型となっている場合の、光変調層の作用の他の例を説明するための模式図である。
【図２９】図５、図７の光変調層がノーマリーホワイト型となっている場合の、光変調層の作用の一例を説明するための模式図である。
【図３０】図５、図７の光変調層がノーマリーホワイト型となっている場合の、光変調層の作用の他の例を説明するための模式図である。
【図３１】図５、図７の光変調層がノーマリーホワイト型となっている場合にバックライトに印加される駆動信号の一例を表す波形図である。
【図３２】図３１に示した駆動信号でバックライトが駆動されたときに光変調セルに印加される電位差の一例を表す波形図である。
【図３３】光変調セルに印加される電圧（印加電圧）と、光変調セルから出射される照明光の白色度との関係の他の例を表す関係図である。
【図３４】三次元表示における時分割駆動の一例を表す模式図である。
【図３５】図３４に続く時分割駆動の一例を表す模式図である。
【図３６】図１の受信側装置における表示部の構成の第１変形例を表す断面図である。
【図３７】図１の受信側装置における表示部の構成の第２変形例を表す断面図である。
【図３８】図１の受信側装置における表示部の構成の第３変形例を表す断面図である。
【図３９】図６、図２１、図２４の下側電極の構成の第３変形例を表す平面図である。
【図４０】図５、図７の上側電極の構成の第１変形例を表す平面図である。
【図４１】図５、図７の上側電極の構成の第２変形例を表す平面図である。
【図４２】図５、図７の上側電極の構成の第３変形例を表す平面図である。
【図４３】図５、図７の上側電極の構成の第４変形例を表す平面図である。
【図４４】図５、図７の上側電極の構成の第５変形例を表す平面図である。
【図４５】図５、図７の上側電極の構成の第６変形例を表す平面図である。
【図４６】図５、図７の上側電極の構成の第７変形例を表す平面図である。
【発明を実施するための形態】
【００１２】
以下、発明を実施するための形態について、図面を参照して詳細に説明する。なお、説明は以下の順序で行う。
１．第１の実施の形態
バックライト内の光変調層がノーマリーブラック型であって、
かつ水平配向型となっている例
２．第２の実施の形態
バックライト内の光変調層がノーマリーブラック型であって、
かつ垂直配向型となっている例
３．第３の実施の形態
バックライト内の光変調層がノーマリーホワイト型となっている例
４．変形例
３次元表示において時分割駆動が用いられている例
光変調素子のバックライト内での位置のバリエーション
【００１３】
＜１．第１の実施の形態＞
[テレビ放送信号の受送信システムの構成]
図１は、本技術による第１の実施の形態に係る受信側装置２００を含むテレビ放送信号１００Ａの受送信システムの構成例を示すブロック図である。この受送信システムは、例えば、有線（ケーブルＴＶなど）や無線（地上デジタル波、衛星波など）を介してテレビ放送信号を送信する送信側装置１００と、上記の有線や無線を介して送信側装置１００からのテレビ放送信号１００Ａを受信する受信側装置２００とを備えている。なお、受信側装置２００が本技術の「表示装置」の一具体例に相当する。
【００１４】
テレビ放送信号１００Ａは、二次元表示（平面表示）用の映像データ、または三次元表示（立体表示）用の映像データを含んでいる。ここで、二次元表示用の映像データとは、視点情報を持たない二次元映像データを指している。また、三次元表示用の映像データとは、視点情報を持った二次元映像データを指しており、三次元表示用の映像データは、視点が互いに異なる複数の二次元映像データを含んで構成されている。送信側装置１００は、例えば、放送局に設置されたテレビ放送信号送信装置、またはインターネット上のサーバなどである。
【００１５】
［受信側装置２００の機能ブロック］
図２は、受信側装置２００の構成例を示すブロック図である。受信側装置２００は、例えば、上記の有線や無線に接続可能なテレビジョンである。受信側装置２００は、例えば、アンテナ端子２０１、デジタルチューナ２０２、デマルチプレクサ２０３、演算回路２０４、およびメモリ２０５を有している。受信側装置２００は、また、例えば、デコーダ２０６、映像信号処理回路２０７、グラフィック生成回路２０８、パネル駆動回路２０９、表示パネル２１０、バックライト２１１、音声信号処理回路２１２、音声増幅回路２１３、およびスピーカ２１４を有している。受信側装置２００は、さらに、例えば、リモートコントローラ（以下「リモコン」と称する。）受信回路２１５、およびリモコン送信機２１６を有している。
【００１６】
アンテナ端子２０１は、受信アンテナ（図示せず）で受信されたテレビ放送信号１００Ａを入力する端子である。デジタルチューナ２０２は、例えば、アンテナ端子２０１に入力されたテレビ放送信号１００Ａを処理して、ユーザの選択チャネルに対応した所定のトランスポートストリームを出力するようになっている。デマルチプレクサ２０３は、例えば、デジタルチューナ２０２で得られたトランスポートストリームから、ユーザの選択チャネルに対応したパーシャルＴＳ（Transport Stream）を抽出するようになっている。
【００１７】
演算回路２０４は、受信側装置２００の各部の動作を制御するものである。演算回路２０４は、例えば、デマルチプレクサ２０３で得られたパーシャルＴＳをメモリ２０５内に格納したり、メモリ２０５から読み出したパーシャルＴＳをデコーダ２０６に送信したりするようになっている。また、演算回路２０４は、例えば、二次元表示または三次元表示を指定する制御信号２０４Ａを映像信号処理回路２０７およびバックライト２１１に送信するようになっている。演算回路２０４は、上記の制御信号２０４Ａを、例えば、メモリ２０５内に格納された設定情報、パーシャルＴＳに含まれる所定の情報、またはリモコン受信回路２１５から入力された設定情報に基づいて設定するようになっている。
【００１８】
メモリ２０５は、例えば、受信側装置２００の設定情報の格納およびデータ管理を行うものである。メモリ２０５は、例えば、デマルチプレクサ２０３で得られたパーシャルＴＳや、表示方法などの設定情報を格納することが可能となっている。
【００１９】
デコーダ２０６は、例えば、デマルチプレクサ２０３で得られたパーシャルＴＳに含まれる映像ＰＥＳ(Packetized Elementary Stream)パケットに対してデコード処理を行うことにより映像データを得るようになっている。デコーダ２０６は、また、例えば、デマルチプレクサ２０３で得られたパーシャルＴＳに含まれる音声ＰＥＳパケットに対してデコード処理を行うことにより音声データを得るようになっている。ここで、映像データとは、二次元表示用の映像データ、または三次元表示用の映像データを指している。
【００２０】
映像信号処理回路２０７およびグラフィック生成回路２０８は、例えば、デコーダ２０６で得られた映像データに対して、必要に応じてマルチ画像処理、グラフィックスデータの重畳処理等を行うようになっている。
【００２１】
映像信号処理回路２０７は、演算回路２０４から制御信号２０４Ａとして三次元表示を指定する信号が入力された場合であって、かつ、デコーダ２０６から入力された映像データが三次元表示用の映像データであったときには、例えば、デコーダ２０６から入力された三次元表示用の映像データに含まれる、視点の互いに異なる複数の二次元映像データを用いて１つの二次元映像データを作成し、作成した二次元映像データを、グラフィック生成回路２０８に出力する映像データとして選択するようになっている。例えば、三次元表示用の映像データに、視点の互いに異なる２つの二次元映像データが含まれている場合には、映像信号処理回路２０７は、２つの二次元映像データを、水平方向に１つずつ交互に並べる処理を各行で行っていき、２つの二次元映像データが水平方向に交互に並んだ１つの映像データを作成するようになっている。同様に、例えば、三次元表示用の映像データに、視点の互いに異なる４つの二次元映像データが含まれている場合には、映像信号処理回路２０７は、４つの二次元映像データを、水平方向に１つずつ周期的に並べる処理を各行で行っていき、４つの二次元映像データが水平方向に１つずつ周期的に並んだ１つの映像データを作成するようになっている。
【００２２】
映像信号処理回路２０７は、演算回路２０４から制御信号２０４Ａとして二次元表示を指定する信号が入力された場合であって、かつ、デコーダ２０６から入力された映像データが三次元表示用の映像データであったときには、例えば、デコーダ２０６から入力された三次元表示用の映像データに含まれる、視点の互いに異なる複数の二次元映像データのいずれか１つの映像データを、グラフィック生成回路２０８に出力する映像データとして選択するようになっている。映像信号処理回路２０７は、演算回路２０４から制御信号２０４Ａとして二次元表示を指定する信号が入力された場合であって、かつ、デコーダ２０６から入力された映像データが二次元表示用の映像データであったときには、例えば、デコーダ２０６から入力された二次元表示用の映像データを、グラフィック生成回路２０８に出力する映像データとして選択するようになっている。
【００２３】
映像信号処理回路２０７は、演算回路２０４から制御信号２０４Ａとして、部分的な三次元表示を指定する信号が、三次元表示領域のエリア情報と共に入力された場合であって、かつ、デコーダ２０６から入力された映像データが三次元表示用の映像データであったときには、例えば、デコーダ２０６から入力された三次元表示用の映像データに含まれる、視点の互いに異なる複数の二次元映像データのうち、上記のエリア情報に対応する複数のデータを用いて１つの二次元映像データを作成する。さらに、映像信号処理回路２０７は、例えば、デコーダ２０６から入力された三次元表示用の映像データに含まれる、視点の互いに異なる複数の二次元映像データのうち、上記のエリア情報に対応しない複数のデータのいずれか１つの映像データを選択する。そして、映像信号処理回路２０７は、作成した二次元映像データと、選択した映像データとを互いに合成して、１つの映像データを作成し、その映像データをグラフィック生成回路２０８に出力する映像データとして選択するようになっている。
【００２４】
グラフィック生成回路２０８は、例えば、画面表示の際に使用するＵＩ（User Interface）画面を生成するようになっている。パネル駆動回路２０９は、例えば、グラフィック生成回路２０８から出力された映像データに基づいて表示パネル２１０を駆動するようになっている。
【００２５】
表示パネル２１０およびバックライト２１１の構成は、後に詳述する。音声信号処理回路２１２は、例えば、デコーダ２０６で得られた音声データに対してＤ／Ａ変換等の処理を行うようになっている。音声増幅回路２１３は、例えば、音声信号処理回路２１２から出力された音声信号を増幅してスピーカ２１４に供給するようになっている。
【００２６】
リモコン受信回路２１５は、例えば、リモコン送信機２１６から送信されたリモートコントロール信号を受信し、演算回路２０４に供給するようになっている。演算回路２０４は、例えば、リモートコントロール信号に従って受信側装置２００の各部を制御するようになっている。
【００２７】
［受信側装置２００の断面構成］
図３は、受信側装置２００における表示部の断面構成の一例を表したものである。なお、図３は、模式的に表したものであり、実際の寸法や形状と同一であるとは限らない。受信側装置２００は、表示パネル２１０と、表示パネル２１０の背後に配置されたバックライト２１１とを備えている。
【００２８】
表示パネル２１０は、２次元配置された複数の画素を有しており、各画素または特定の画素が駆動されることにより映像を表示するものである。表示パネル２１０は、例えば、映像信号に応じて各画素または特定の画素が駆動される透過型の液晶表示パネル（ＬＣＤ（Liquid Crystal Display））であり、液晶層を一対の透明基板で挟み込んだ構造を有している。表示パネル２１０は、例えば、図示しないが、バックライト２１１側から順に、偏光板、透明基板、画素電極、配向膜、液晶層、配向膜、共通電極、カラーフィルタ、透明基板および偏光板を有している。
【００２９】
なお、バックライト２１１側の偏光板が後述の偏光板２１０Ｂ（図１３参照）に相当しており、映像表示面側の偏光板が後述の偏光板２１０Ｃ（図１３参照）に相当している。また、表示パネル２１０のうち一対の偏光板で挟まれた部分（具体的には、透明基板、画素電極、配向膜、液晶層、配向膜、共通電極、カラーフィルタおよび透明基板からなる積層部分）が後述の液晶パネル２１０Ａ（図１３参照）に相当する。
【００３０】
透明基板は、可視光に対して透明な基板、例えば板ガラスからなる。なお、バックライト２１１側の透明基板には、図示しないが、画素電極に電気的に接続されたＴＦＴ（Thin Film Transistor；薄膜トランジスタ）および配線などを含むアクティブ型の駆動回路が形成されている。画素電極および共通電極は、例えば、酸化インジウムスズ（ＩＴＯ；Indium Tin Oxide）からなる。画素電極は、透明基板上に２次元配列されたものであり、画素ごとの電極として機能する。他方、共通電極は、カラーフィルタ上に一面に形成されたものであり、各画素電極に対して対向する共通電極として機能する。配向膜は、例えばポリイミドなどの高分子材料からなり、液晶に対して配向処理を行う。
【００３１】
液晶層は、例えば、ＶＡ（Vertical Alignment）モード、ＴＮ（Twisted Nematic）モードまたはＳＴＮ（Super Twisted Nematic）モードの液晶からなり、駆動回路（図示せず）からの印加電圧により、バックライト２１１からの出射光の偏光軸の向きを画素ごとに変える機能を有する。なお、液晶の配列を多段階で変えることにより画素ごとの透過軸の向きが多段階で調整される。カラーフィルタは、液晶層を透過してきた光を、例えば、赤（Ｒ）、緑（Ｇ）および青（Ｂ）の三原色にそれぞれ色分離したり、または、Ｒ、Ｇ、Ｂおよび白（Ｗ）などの四色にそれぞれ色分離したりするカラーフィルタを、画素電極の配列と対応させて配列したものである。
【００３２】
偏光板は、光学シャッタの一種であり、ある一定の振動方向の光（偏光）のみを通過させる。なお、偏光板は、透過軸以外の振動方向の光（偏光）を吸収する吸収型の偏光素子であってもよいが、バックライト２１１側に反射する反射型の偏光素子であることが輝度向上の観点から好ましい。２枚の偏光板はそれぞれ、偏光軸が互いに９０°異なるように配置されており、これによりバックライト２１１からの出射光が液晶層を介して透過し、あるいは遮断されるようになっている。
【００３３】
バックライト２１１は、例えば、表示パネル２１０を背後から照明するものであり、導光板１０と、導光板１０の側面に配置した光源２０と、導光板１０の内部に配置した光変調素子３０および反射板４０と、光変調素子３０を駆動する駆動回路５０とを備えている。なお、導光板１０は、本技術の「第１透明基板」または「第２透明基板」の一具体例に相当する。
【００３４】
導光板１０は、導光板１０の側面に配置した光源２０からの光を導光板１０の上面に導くものである。この導光板１０は、導光板１０の上面に配置された表示パネル２１０に対応した形状、例えば、上面、下面および側面で囲まれた直方体状となっている。なお、以下では、導光板１０の側面のうち光源２０からの光が入射する側面を光入射面１０Ａと称するものとする。なお、バックライト２１１に印加する電圧を変調することによって輝度の均一化を行う場合には、パターン化されていない平坦な導光板を導光板１０として用いることも可能である。導光板１０は、例えば、ポリカーボネート樹脂（ＰＣ）やアクリル樹脂（ポリメチルメタクリレート（ＰＭＭＡ）などの透明熱可塑性樹脂を主に含んで構成されている。
【００３５】
光源２０は、線状光源であり、例えば、熱陰極管(ＨＣＦＬ；Hot Cathode Fluorescent Lamp)、冷陰極管(ＣＣＦＬ；Cold Cathode Fluorescent Lamp)、または複数のＬＥＤ（Light Emitting Diode）を一列に配置したものなどからなる。光源２０が複数のＬＥＤからなる場合には、効率、薄型化、均一性の観点から、全てのＬＥＤがホワイトＬＥＤであることが好ましい。なお、光源２０が、例えば、赤色ＬＥＤ、緑色ＬＥＤおよび青色ＬＥＤを含んで構成されていてもよい。光源２０は、導光板１０の一の側面にだけ設けられていてもよいし（図３、図４（Ａ）参照）、導光板１０の２つの側面（図４（Ｂ）参照））、３つの側面または全ての側面に設けられていてもよい。また、光源２０が３つの側面または全ての側面に設けられている場合には、部分点灯を行うときにだけ、互いに対向する２つの側面に設けられた光源２０だけを点灯させ、全面点灯を行うときに全ての光源２０を点灯させるようにしてもよい。
【００３６】
反射板４０は、導光板１０の背後から光変調素子３０を介して漏れ出てきた光を導光板１０側に戻すものであり、例えば、反射、拡散、散乱などの機能を有している。これにより、光源２０からの出射光を効率的に利用することができ、また、正面輝度の向上にも役立っている。この反射板４０は、例えば、発泡ＰＥＴ（ポリエチレンテレフタレート）や銀蒸着フィルム、多層膜反射フィルム、白色ＰＥＴなどからなる。なお、反射板４０は、例えば、後述するように、必要に応じて省略することも可能である。
【００３７】
光変調素子３０は、本実施の形態においては、導光板１０の内部に設けられている。光変調素子３０は、空気層を介さず導光板１０に密着しており、例えば接着剤（図示せず）を介して導光板１０に接着されている。光変調素子３０は、例えば、図５に示したように、透明基板３１、下側電極３２、配向膜３３、光変調層３４、配向膜３５、上側電極３６および透明基板３７を反射板４０側から順に配置されたものである。
【００３８】
透明基板３１，３７は、光変調層３４を支持するものであり、一般に、可視光に対して透明な基板、例えば、ガラス板や、プラスチックフィルムによって構成されている。下側電極３２および上側電極３６は、電圧が印加されたときに光変調層３４内に電場を発生させるものである。下側電極３２は、光変調層３４との関係で透明基板３１側に設けられた電極であり、上側電極３６は、光変調層３４との関係で透明基板３７側に設けられた電極である。なお、透明基板３１または透明基板３７が「第１透明基板」または「第２透明基板」の一具体例に相当する。下側電極３２が「第１電極」の一具体例に相当し、上側電極３６が「第２電極」の一具体例に相当する。
【００３９】
下側電極３２は、例えば、図６に示したように、複数の部分電極３２Ａによって構成されている。複数の部分電極３２Ａは、面内の一の方向（光入射面１０Ａに平行な方向）に延在する帯状の形状となっている。複数の部分電極３２Ａのうち特定の複数の部分電極３２Ａ（以下、「部分電極３２Ｂ」と称する。）は、受信側装置２００において三次元表示を行うときに、線状照明光の生成に用いられるものである。なお、部分電極３２Ｂが「第２帯状電極」の一具体例に相当する。複数の部分電極３２Ａのうち部分電極３２Ｂを除く複数の部分電極３２Ａ（以下、「部分電極３２Ｃ」と称する。）は、受信側装置２００において二次元表示を行うときに、部分電極３２Ｂと共に、面状照明光の生成に用いられるものである。つまり、受信側装置２００において二次元表示を行うときには、面状照明光を生成するために、全ての部分電極３２Ａが用いられる。なお、部分電極３２Ｃが「第１帯状電極」の一具体例に相当する。
【００４０】
１つの部分電極３２Ｂおよび複数の部分電極３２Ｃを一組として、複数組の部分電極群が、配列方向（光入射面１０Ａと直交する方向）に配列されている。図６には、１つの部分電極３２Ｂおよび２つの部分電極３２Ｃを一組として、複数組の部分電極群が、配列方向に配列されている場合が例示されているが、部分電極群の内訳は、図６の記載に限られるものではない。部分電極群は、例えば、１つの部分電極３２Ｂおよび１つの部分電極３２Ｃで構成されていてもよいし、１つの部分電極３２Ｂおよび３つ以上の部分電極３２Ｃで構成されていてもよい。部分電極３２Ｂ，３２Ｃの幅は、モアレ低減の観点からは、表示パネル２１０のＲ，Ｇ,Ｂなどのサブピクセルの幅と同一または、その整数倍となっていることが好ましい。
【００４１】
上記の部分電極群は、受信側装置２００において三次元表示を行うときの画素ピッチに対応するピッチＰ１（三次元表示を行うときの画素ピッチと同一ピッチまたはそれに近いピッチ）で配列されている。また、複数の部分電極３２Ｂについても同様に、受信側装置２００において三次元表示を行うときの画素ピッチに対応するピッチＰ１（三次元表示を行うときの画素ピッチと同一ピッチまたはそれに近いピッチ）で配列されている。
【００４２】
なお、部分電極群が、１つの部分電極３２Ｂおよび複数の部分電極３２Ｃで構成されている場合には、部分電極３２Ｃの幅は、部分電極３２Ｂの幅と等しくなっていることが好ましい。また、部分電極群が、１つの部分電極３２Ｂおよび１つの部分電極３２Ｃで構成されている場合には、例えば、図７、図８に示したように、部分電極３２Ｃの幅は、部分電極３２Ｂの幅よりも太くなっていてもよいし、図示しないが、部分電極３２Ｂの幅と等しくなっていてもよい。
【００４３】
上側電極３６は、例えば、図９に示したように、複数の部分電極３６Ａによって構成されている。複数の部分電極３６Ａは、部分電極３２Ａと交差（もしくは直交）する方向に延在する帯状の形状となっている。
【００４４】
下側電極３２および上側電極３６は透明導電膜（例えば、ＩＴＯ膜）によって構成されている。なお、下側電極３２および上側電極３６は、酸化インジウム亜鉛（ＩＺＯ；Indium Zinc Oxide）、メタルナノワイヤ、カーボンナノチューブ、グラフェンなどによって構成されていてもよい。
【００４５】
下側電極３２および上側電極３６を光変調素子３０の法線方向から見たときに、光変調素子３０のうち下側電極３２および上側電極３６が互いに対向している箇所に対応する部分が光変調セル３０ａ，３０ｂを構成している（図５参照）。光変調セル３０ａは、光変調素子３０のうち部分電極３２Ｂおよび部分電極３６Ａが互いに対向している箇所に対応する部分であり、光変調セル３０ｂは、光変調素子３０のうち部分電極３２Ｃおよび部分電極３６Ａが互いに対向している箇所に対応する部分である。光変調セル３０ａと光変調セル３０ｂとは互いに隣接している。
【００４６】
各光変調セル３０ａ，３０ｂは、部分電極３２Ａおよび部分電極３６Ａに所定の電圧を印加することにより別個独立に駆動することの可能なものであり、部分電極３２Ａおよび部分電極３６Ａに印加される電位差の大きさに応じて、光源２０からの光に対して透明性（光透過性）を示したり、散乱性を示したりする。なお、透明性、散乱性については、光変調層３４を説明する際に詳細に説明する。
【００４７】
配向膜３３，３５は、例えば、光変調層３４に用いられる液晶やモノマーを配向させるものである。配向膜の種類としては、例えば、垂直配向膜および水平配向膜があるが、本実施の形態では、配向膜３３，３５には水平配向膜が用いられる。水平配向膜としては、例えば、ポリイミド、ポリアミドイミド、ポリビニルアルコールなどをラビング処理することにより形成された配向膜、転写やエッチングなどにより溝形状が付与された配向膜が挙げられる。また、水平配向膜としては、例えば、酸化ケイ素などの無機材料を斜方蒸着することにより形成された配向膜、イオンビーム照射により形成されたダイヤモンドライクカーボン配向膜、電極パターンスリットの形成された配向膜が挙げられる。
【００４８】
また、垂直、水平いずれの配向膜においても、液晶とモノマーを配向させる機能があれば十分であり、通常の液晶ディスプレイに要求される電圧の繰り返し印加による信頼性などは必要ない。デバイス作成後の電圧印加による信頼性は、モノマーを重合したものと液晶との界面で決まるためである。また、配向膜を用いなくても、例えば、下側電極３２および上側電極３６間に電場や磁場を印加することによっても、光変調層３４に用いられる液晶やモノマーを配向させることが可能である。つまり、下側電極３２および上側電極３６間に電場や磁場を印加しながら、紫外線照射して電圧印加状態での液晶やモノマーの配向状態を固定させることができる。配向膜の形成に電圧を用いる場合には、配向用と駆動用とで別々の電極を形成するか、液晶材料に周波数によって誘電率異方性の符号が反転する二周波液晶などを用いることができる。また、配向膜の形成に磁場を用いる場合、配向膜として磁化率異方性の大きい材料を用いることが好ましく、例えば、ベンゼン環の多い材料を用いることが好ましい。
【００４９】
光変調層３４は、電場の大きさに応じて、光源２０からの光に対して散乱性もしくは透明性を示すものである。光変調層３４は、電場が相対的に小さいときに、光源２０からの光に対して透明性を示し、電場が相対的に大きいときに、光源２０からの光に対して散乱性を示すものである。光変調層３４は、例えば、図５に示したように、バルク３４Ａと、バルク３４Ａ内に分散された微粒子状の複数の微粒子３４Ｂとを含んだ複合層となっている。バルク３４Ａおよび微粒子３４Ｂは光学異方性を有している。
【００５０】
図１０（Ａ）は、下側電極３２および上側電極３６間に電位差が印加されていない時（以下、単に「電位差無印加時」と称する。）の、微粒子３４Ｂ内の配向状態の一例を模式的に表したものである。なお、図１０（Ａ）において、バルク３４Ａ内の配向状態についての記載を省略した。本明細書において、「電位差無印加時」とは、光変調層３４が散乱性を示す電位差よりも小さな電位差であって、かつ光変調層３４が透明性を示す電位差が印加されている時も含む概念である。
【００５１】
図１０（Ｂ）は、電位差無印加時の、バルク３４Ａおよび微粒子３４Ｂの屈折率異方性を示す屈折率楕円体の一例を表したものである。この屈折率楕円体は、様々な方向から入射した直線偏光の屈折率をテンソル楕円体で表したものであり、光が入射する方向からの楕円体の断面を見ることによって、幾何的に屈折率を知ることができるものである。図１０（Ｃ）は、電位差無印加時の、正面方向に向かう光Ｌ１と、斜め方向に向かう光Ｌ２とが光変調層３４を透過する様子の一例を模式的表したものである。
【００５２】
図１１（Ａ）は、下側電極３２および上側電極３６間に電位差が印加されている時（以下、単に「電位差印加時」と称する。）の、微粒子３４Ｂ内の配向状態の一例を模式的に表したものである。なお、図１１（Ａ）において、バルク３４Ａ内の配向状態についての記載を省略した。本明細書において、「電位差印加時」は、光変調層３４が散乱性を示す電位差が印加されている時を意味するものとする。
【００５３】
図１１（Ｂ）は、電位差印加時の、バルク３４Ａおよび微粒子３４Ｂの屈折率異方性を示す屈折率楕円体の一例を表したものである。図１１（Ｃ）は、電位差印加時の、正面方向に向かう光Ｌ１と、斜め方向に向かう光Ｌ２とが光変調層３４において散乱される様子の一例を模式的表したものである。
【００５４】
バルク３４Ａおよび微粒子３４Ｂは、例えば、図１０（Ａ），（Ｂ）に示したように、電位差無印加時に、バルク３４Ａの光軸ＡＸ１および微粒子３４Ｂの光軸ＡＸ２の向きが互いに一致する（平行となる）構成となっている。なお、光軸ＡＸ１，ＡＸ２とは、偏光方向によらず屈折率が一つの値になるような光線の進行方向と平行な線を指している。また、光軸ＡＸ１および光軸ＡＸ２の向きは常に互いに一致している必要はなく、光軸ＡＸ１の向きと光軸ＡＸ２の向きとが、例えば製造誤差などによって多少ずれていてもよい。
【００５５】
また、微粒子３４Ｂは、例えば、電位差無印加時に、光軸ＡＸ２が導光板１０の光入射面１０Ａと平行となる構成となっている。微粒子３４Ｂは、さらに、例えば、電位差無印加時に、光軸ＡＸ２が透明基板３１，３７の表面と僅かな角度θ１で交差する構成となっている（図１０（Ｂ）参照）。なお、角度θ１については、微粒子３４Ｂを構成する材料を説明する際に詳述する。
【００５６】
一方、バルク３４Ａは、例えば、下側電極３２および上側電極３６間への電位差印加の有無に拘らず、バルク３４Ａの光軸ＡＸ１が一定となる構成となっている。具体的には、バルク３４Ａは、例えば、図１０（Ａ），（Ｂ）、図１１（Ａ），（Ｂ）に示したように、バルク３４Ａの光軸ＡＸ１が導光板１０の光入射面１０Ａと平行となると共に透明基板３１，３７の表面と所定の角度θ１で交差する構成となっている。つまり、バルク３４Ａの光軸ＡＸ１は、電位差無印加時に、微粒子３４Ｂの光軸ＡＸ２と平行となっている。
【００５７】
なお、光軸ＡＸ２が常に、光入射面１０Ａと平行となると共に透明基板３１，３７の表面と角度θ１で交差している必要はなく、例えば製造誤差などによって透明基板３１，３７の表面と、角度θ１とは若干異なる角度で交差していてもよい。また、光軸ＡＸ１，ＡＸ２が常に光入射面１０Ａと平行となっている必要はなく、例えば製造誤差などによって光入射面１０Ａと、小さな角度で交差していてもよい。
【００５８】
ここで、バルク３４Ａおよび微粒子３４Ｂの常光屈折率が互いに等しく、かつバルク３４Ａおよび微粒子３４Ｂの異常光屈折率が互いに等しいことが好ましい。この場合に、例えば、電位差無印加時には、図１０（Ａ）に示したように、正面方向および斜め方向を含むあらゆる方向において屈折率差がほとんどなく、高い透明性（光透過性）が得られる。これにより、例えば、図１０（Ｃ）に示したように、正面方向に向かう光Ｌ１および斜め方向に向かう光Ｌ２は、光変調層３４内で散乱されることなく、光変調層３４を透過する。その結果、例えば、図１２（Ａ），（Ｂ）に示したように、光源２０からの光Ｌ（斜め方向からの光）は、例えば、導光板１０のうち、光変調層３４において透明な領域（透明領域３０Ａ）の上側および下側の界面において全反射され、透明領域３０Ａの輝度（黒表示の輝度）が、全面を均一に発光させている場合（図１２（Ｂ）中の一点鎖線）と比べて下がる。なお、図１２（Ｂ）の正面輝度のプロファイルは、導光板１０上に拡散シート６０を設置し、その拡散シート６０を介して測定することにより得られたものである。
【００５９】
なお、透明領域３０Ａの界面の１つである導光板１０の上面は、表示パネル２１０と導光板１０との間に存在する間隙と接しているが、その間隙は、導光板１０の上面の屈折率よりも低い屈折率の材料で満たされていることが好ましい。そのような低屈折率材料からなる層は、典型的には空気であるが、低屈折率材料からなる粘着剤もしくは接着剤であってもよい。
【００６０】
バルク３４Ａおよび微粒子３４Ｂは、例えば、電位差印加時には、図１１（Ａ），（Ｂ）に示したように、光軸ＡＸ１および光軸ＡＸ２の向きが互いに異なる（交差またはほぼ直交する）構成となっている。また、微粒子３４Ｂは、例えば、電位差印加時に、微粒子３４Ｂの光軸ＡＸ２が導光板１０の光入射面１０Ａと平行となると共に透明基板３１，３７の表面と角度θ１よりも大きな角度θ２（例えば９０°）で交差する構成となっている。なお、角度θ２については、微粒子３４Ｂを構成する材料を説明する際に詳述する。
【００６１】
したがって、電位差印加時には、光変調層３４において、正面方向および斜め方向を含むあらゆる方向において屈折率差が大きくなり、高い散乱性が得られる。これにより、例えば、図１１（Ｃ）に示したように、正面方向に向かう光Ｌ１および斜め方向に向かう光Ｌ２は、光変調層３４内で散乱される。その結果、例えば、図１２（Ａ）に示したように、光源２０からの光Ｌ（斜め方向からの光）は、導光板１０のうち、光変調層３４において散乱性を示す領域（散乱領域３０Ｂ）の上側および下側の界面を透過すると共に、反射板４０側に透過した光は反射板４０で反射され、光変調素子３０を透過する。従って、散乱領域３０Ｂの輝度は、全面を均一に発光させている場合（図１２（Ｂ）中の一点鎖線）と比べて極めて高くなり、しかも、透明領域３０Ａの輝度が低下した分だけ、部分的な白表示の輝度（輝度突き上げ）が大きくなる。
【００６２】
なお、バルク３４Ａおよび微粒子３４Ｂの常光屈折率は、例えば製造誤差などによって多少ずれていてもよく、例えば、０．１以下であることが好ましく、０．０５以下であることがより好ましい。また、バルク３４Ａおよび微粒子３４Ｂの異常光屈折率についても、例えば製造誤差などによって多少ずれていてもよく、例えば、０．１以下であることが好ましく、０．０５以下であることがより好ましい。
【００６３】
また、バルク３４Ａの屈折率差（ΔｎP＝異常光屈折率ｎｅP−常光屈折率ｎｏP）や、微粒子３４Ｂの屈折率差（ΔｎL＝異常光屈折率ｎｅL−常光屈折率ｎｏL）は、できるだけ大きいことが好ましく、０．０５以上であることが好ましく、０．１以上であることがより好ましく、０．１５以上であることがさらに好ましい。バルク３４Ａおよび微粒子３４Ｂの屈折率差が大きい場合には、光変調層３４の散乱能が高くなり、導光条件を容易に破壊することができ、導光板１０からの光を取り出しやすいからである。
【００６４】
また、バルク３４Ａおよび微粒子３４Ｂは、電場に対する応答速度が互いに異なっている。バルク３４Ａは、例えば、微粒子３４Ｂの応答速度よりも遅い応答速度を有する筋状構造、多孔質構造、または棒状構造となっている。バルク３４Ａは、例えば、低分子モノマーを重合化することにより得られた高分子材料によって形成されている。バルク３４Ａは、例えば、微粒子３４Ｂの配向方向または配向膜３３，３５の配向方向に沿って配向した、配向性および重合性を有する材料（例えばモノマー）を熱および光の少なくとも一方によって重合させることにより形成されている。
【００６５】
バルク３４Ａの筋状構造、多孔質構造もしくは棒状構造は、例えば、導光板１０の光入射面１０Ａと平行となると共に透明基板３１，３７の表面と僅かな角度θ１で交差する方向に長軸を有している。バルク３４Ａが筋状構造となっている場合に、短軸方向の平均的な筋状組織サイズは、導光光の散乱性を高くするという観点からは、０．１μｍ以上１０μｍ以下となっていることが好ましく、０．２μｍ以上２．０μｍ以下の範囲であることがより好ましい。短軸方向の平均的な筋状組織サイズが０．１μｍ以上１０μｍ以下となっている場合には、光変調素子３０内での散乱能が、３８０〜７８０ｎｍの可視領域において略等しくなる。そのため、面内で、ある特定の波長成分の光のみが増加したり、減少したりすることがないので、可視領域でのバランスを面内で取ることができる。短軸方向の平均的な筋状組織サイズが０．１μｍ未満である場合や、１０μｍを超える場合には、波長に関係なく、光変調素子３０の散乱能が低く、光変調素子３０が光変調素子として機能しにくい。
【００６６】
また、散乱の波長依存性を少なくするという観点からは、短軸方向の平均的な筋状組織サイズは、０．５μｍ以上５μｍ以下の範囲であることが好ましく、１〜３μｍの範囲であることがより好ましい。このようにした場合には、光源２０から出射された光が導光板１０内を伝播していく過程で光変調素子３０内のバルク３４Ａを繰り返し通過したときに、バルク３４Ａにおける、散乱の波長依存性が抑制される。筋状組織のサイズは、偏光顕微鏡、共焦点顕微鏡、電子顕微鏡などで観察することができる。
【００６７】
一方、微粒子３４Ｂは、例えば、液晶材料を主に含んで構成されており、バルク３４Ａの応答速度よりも十分に早い応答速度を有している。微粒子３４Ｂ内に含まれる液晶材料（液晶分子）は、例えば棒状分子である。微粒子３４Ｂ内に含まれる液晶分子として、正の誘電率異方性を有するもの（いわゆるポジ型液晶）を用いることが好ましい。
【００６８】
ここで、電位差無印加時には、微粒子３４Ｂ内において、液晶分子の長軸方向は、光軸ＡＸ１と平行となっている。このとき、微粒子３４Ｂ内の液晶分子の長軸は、導光板１０の光入射面１０Ａと平行となると共に透明基板３１，３７の表面と僅かな角度θ１で交差している。つまり、微粒子３４Ｂ内の液晶分子は、電位差無印加時には、導光板１０の光入射面１０Ａと平行な面内において角度θ１だけ傾斜した状態で配向している。この角度θ１は、プレチルト角と呼ばれるもので、例えば０．１°以上３０°以下の範囲であることが好ましい。この角度θ１は、０．５°以上１０°以下の範囲であることがより好ましく、０．７°以上２°以下の範囲であることがさらにより好ましい。角度θ１を大きくすると、後述するような理由から散乱の効率が低下する傾向にある。また、角度θ１を小さくし過ぎると、電位差印加時に液晶の立ち上がる方位角がばらつく。例えば、１８０°反対側の方位（リバースチルト）に液晶が立ち上がることもある。これにより、微粒子３４Ｂとバルク３４Ａとの屈折率差を有効に利用できないので、散乱効率が低くなり、輝度が小さくなる傾向にある。
【００６９】
また、電位差印加時には、微粒子３４Ｂ内において、液晶分子の長軸方向は、光軸ＡＸ１と交差または直交（もしくはほぼ直交）している。このとき、微粒子３４Ｂ内の液晶分子の長軸は、導光板１０の光入射面１０Ａと平行となると共に透明基板３１，３７の表面と角度θ１よりも大きな角度θ２（例えば９０°）で交差している。つまり、微粒子３４Ｂ内の液晶分子は、電位差印加時には、導光板１０の光入射面１０Ａと平行な面内において角度θ２だけ傾斜した状態もしくは角度θ２（＝９０°）で真っ直ぐ立った状態で配向している。
【００７０】
上記した、配向性および重合性を有するモノマーとしては、光学的に異方性を有しており、かつ液晶と複合する材料であればよいが、本実施の形態では紫外線で硬化する低分子モノマーであることが好ましい。電位差無印加の状態で、液晶と、低分子モノマーを重合化することにより形成されたもの（高分子材料）との光学的異方性の方向が一致していることが好ましいので、紫外線硬化前において、液晶と低分子モノマーが同一方向に配向していることが好ましい。微粒子３４Ｂとして液晶が用いられる場合に、その液晶が棒状分子であるときには、使用するモノマー材料の形状も棒状であることが好ましい。以上のことから、モノマー材料としては重合性と液晶性を併せ持つ材料を用いることが好ましく、例えば、重合性官能基として、アクリレート基、メタクリレート基、アクリロイルオキシ基、メタクリロイルオキシ基、ビニルエーテル基およびエポキシ基からなる群から選ばれた少なくとも１つの官能基を有することが好ましい。これらの官能基は、紫外線、赤外線または電子線を照射したり、加熱したりすることによって重合させることができる。紫外線照射時の配向度低下を抑制するために、多官能基をもつ液晶性材料を添加することもできる。バルク３４Ａを上述した筋状構造とする場合には、バルク３４Ａの原料として、２官能液晶性モノマーを用いることが好ましい。また、バルク３４Ａの原料に対して、液晶性を示す温度の調整を目的に単官能モノマーを添加したり、架橋密度向上を目的に３官能以上のモノマーを添加したりすることもできる。
【００７１】
ところで、上述したように、電位差無印加時には、バルク３４Ａの光軸ＡＸ１および微粒子３４Ｂの光軸ＡＸ２はともに、同一の方向に光軸の成分を主に有している。電位差無印加時には、光軸ＡＸ１，ＡＸ２はともに、図１３に示したように、同一の方向を向いており、例えば、配向膜３３，３５のラビング方向を向いている。また、電位差無印加時には、光軸ＡＸ１，ＡＸ２はともに、図１３に示したように、光入射面１０Ａと平行またはほぼ平行となっている。さらに、電位差無印加時には、光軸ＡＸ１，ＡＸ２は、図５、図１３に示したように、透明基板３１と平行またはほぼ平行となっている。つまり、電位差無印加時には、光軸ＡＸ１，ＡＸ２は、概ね図１３中のＹ軸方向を向いている。
【００７２】
さらに、電位差無印加時には、光軸ＡＸ１，ＡＸ２は、バックライト２１１側の偏光板２１０Ｂの透過軸ＡＸ１０と平行な方向に光軸の成分を主に有している。電位差無印加時には、光軸ＡＸ１，ＡＸ２は、例えば、図１３に示したように、透過軸ＡＸ１０と平行な方向を向いている。透過軸ＡＸ１０は、例えば、図１３に示したように、配向膜３３，３５のラビング方向を向いている。なお、映像表示面側の偏光板２１０Ｃの透過軸ＡＸ１１は、バックライト２１１側の偏光板２１０Ｂの透過軸ＡＸ１０と直交している。
【００７３】
また、上述したように、電位差印加時には、光軸ＡＸ１は、電位差無印加時と同一またはほぼ同一の方向を向いている。電位差印加時には、光軸ＡＸ１は、偏光板２１０Ｂの透過軸ＡＸ１０と平行な方向に光軸の成分を主に有しており、例えば、図１４に示したように、透過軸ＡＸ１０と平行な方向を向いている。電位差印加時には、光軸ＡＸ１は、例えば、光入射面１０Ａと平行またはほぼ平行となっており、さらに、透明基板３１と平行またはほぼ平行となっている。
【００７４】
一方、光軸ＡＸ２は、電位差印加時には、下側電極３２および上側電極３６に印加された電位差によって生成される電場の影響を受けて所定の方向に変位している。例えば、電位差印加時には、光軸ＡＸ２は、図５、図１４に示したように、透明基板３１と交差または直交（もしくはほぼ直交）している。つまり、光軸ＡＸ２は、下側電極３２および上側電極３６への電位差印加により、光軸ＡＸ２と透明基板３１の法線とのなす角度が小さくなる方向に変位している（すなわち立ち上がっている）。このとき、光軸ＡＸ２は、光軸ＡＸ１と直交またはほぼ直交しており、透明基板３１と直交またはほぼ直交している。
【００７５】
駆動回路５０は、例えば、光変調セル３０ｂにおいて微粒子３４Ｂの光軸ＡＸ２がバルク３４Ａの光軸ＡＸ１と平行もしくはほぼ平行となり、さらに、光変調セル３０ａにおいて微粒子３４Ｂの光軸ＡＸ２がバルク３４Ａの光軸ＡＸ１と交差もしくは直交するように、各光変調セル３０ａ，３０ｂの一対の電極（部分電極３２Ａ、部分電極３６Ａ）へ印加する電位差の大きさを制御するようになっている。また、駆動回路５０は、例えば、各光変調セル３０ａ，３０ｂにおいて微粒子３４Ｂの光軸ＡＸ２がバルク３４Ａの光軸ＡＸ１と交差もしくは直交するように、各光変調セル３０ａ，３０ｂの一対の電極（部分電極３２Ａ、部分電極３６Ａ）へ印加する電位差の大きさを制御するようになっている。つまり、駆動回路５０は、電場制御によって、バルク３４Ａおよび微粒子３４Ｂの光軸ＡＸ１，ＡＸ２の向きを互いに一致（もしくはほぼ一致）させたり、互いに異ならせたり（もしくは直交させたり）することができるようになっている。
【００７６】
駆動回路５０は、制御信号２０４Ａとして三次元表示を指定する信号が入力されたときには、バックライト２１１から複数の線状照明光を出力させるようになっている。具体的には、駆動回路５０は、部分電極３２Ｂを含む光変調セル３０ａに、光変調層３４が散乱性を示す電位差を印加するとともに、部分電極３２Ｃを含む光変調セル３０ｂに、光変調層３４が透明性を示す電位差を印加するようになっている。言い換えると、駆動回路５０は、バックライト２１１に含まれる全ての光変調セル３０ａにおいて微粒子３４Ｂの光軸ＡＸ２がバルク３４Ａの光軸ＡＸ１と交差し、バックライト２１１に含まれる全ての光変調セル３０ｂにおいて微粒子３４Ｂの光軸ＡＸ２がバルク３４Ａの光軸ＡＸ１と平行となるように、各光変調セル３０ａ，３０ｂの一対の電極（部分電極３２Ａ、部分電極３６Ａ）へ印加する電位差の大きさを制御するようになっている。これにより、駆動回路５０は、各光変調セル３０ａから線状照明光を出力させるとともに、各光変調セル３０ｂから照明光を出力させない（ほとんど出力させない）ようにしている。
【００７７】
駆動回路５０は、制御信号２０４Ａとして二次元表示を指定する信号が入力されたときには、バックライト２１１から面状照明光を出力させるようになっている。具体的には、駆動回路５０は、各光変調セル３０ａ，３０ｂに、光変調層３４が散乱性を示す電位差を印加するようになっている。言い換えると、駆動回路５０は、バックライト２１１に含まれる全ての光変調セル３０ａ，３０ｂにおいて微粒子３４Ｂの光軸ＡＸ２がバルク３４Ａの光軸ＡＸ１と交差または直交（もしくはほぼ直交）するように、各光変調セル３０ａ，３０ｂの一対の電極（部分電極３２Ａ、部分電極３６Ａ）へ印加する電位差の大きさを制御するようになっている。これにより、駆動回路５０は、全ての光変調セル３０ａ，３０ｂから照明光を出力させ、それによって、面状照明光を出力させるようにしている。
【００７８】
駆動回路５０は、制御信号２０４Ａとして、部分的な三次元表示を指定する信号が、三次元表示領域のエリア情報と共に入力されたときには、バックライト２１１のうちエリア情報に対応する領域（３Ｄ表示領域２１１−２）に含まれる光変調セル３０ａに、光変調層３４が散乱性を示す電位差を印加すると共に、３Ｄ表示領域２１１−２に含まれる光変調セル３０ｂに、光変調層３４が透明性を示す電位差を印加するようになっている。さらに、駆動回路５０は、バックライト２１１のうちエリア情報に対応しない領域（２Ｄ表示領域２１１−１）に含まれる全ての光変調セル３０ａ，３０ｂに、光変調層３４が散乱性を示す電位差を印加するようになっている。これにより、駆動回路５０は、例えば、図１５に示したように、２Ｄ表示領域２１１−１から面状照明光Ｌ２を出力させるとともに、３Ｄ表示領域２１１−２から、複数の線状照明光Ｌ１を出力させるようにしている。このとき、各線状照明光Ｌ１は、部分電極３２Ｂの延在方向と平行な方向に延在しており、例えば、図１５に示したように、Ｙ軸方向（つまり光入射面１０Ａと平行な方向）に延在している。なお、３Ｄ表示領域２１１−２が「第２領域」の一具体例に相当し、２Ｄ表示領域２１１−１が「第１領域」の一具体例に相当する。
【００７９】
図１６は、バックライト２１１の光出射面２１１Ａをエリアごとに区分した様子を表したものである。図１６において、エリアＡは、３Ｄ表示領域２１１−２に対応した領域である。エリアＢは、３Ｄ表示領域２１１−２の左右方向および上下方向のいずれの方向にも該当しない領域である。エリアＣは、３Ｄ表示領域２１１−２の左右方向に該当する領域である。エリアＤは、３Ｄ表示領域２１１−２の上下方向に該当する領域である。
【００８０】
図１６では、エリアＡを含む、左右方向に延在する領域がｒｏｗ選択域となっており、エリアＡを含まない、左右方向に延在する領域がｒｏｗ非選択域となっている。また、エリアＡを含む、上下方向に延在する領域がｃｏｌｕｍｎ選択域となっており、エリアＡを含まない、上下方向に延在する領域がｃｏｌｕｍｎ非選択域となっている。従って、ｒｏｗ選択域と、ｃｏｌｕｍｎ選択域とが互いに交差する領域がエリアＡとなっており、ｒｏｗ非選択域と、ｃｏｌｕｍｎ非選択域とが互いに交差する領域がエリアＢとなっている。また、ｒｏｗ選択域と、ｃｏｌｕｍｎ非選択域とが互いに交差する領域がエリアＣとなっており、ｒｏｗ非選択域と、ｃｏｌｕｍｎ選択域とが互いに交差する領域がエリアＤとなっている。
【００８１】
図１７は、部分電極３２Ｂ，３２Ｃ，３６Ａに印加される種々の電圧波形の一例を表したものである。図１７の電圧波形は、光変調層３４が、電圧印加時に散乱状態となり、電圧無印加時に透過状態となるノーマリーブラック型の構成となっていることを前提としたものである。なお、本実施の形態では、光変調層３４が水平配向型となっているが、光変調層３４が後述する垂直配向型となっている場合であっても、部分電極３２Ｂ，３２Ｃ，３６Ａに図１７の電圧波形を印加することが可能である。
【００８２】
駆動回路５０は、二次元映像、三次元映像、または二次元映像と三次元映像とを混在させた映像を表示パネル２１０に表示させる際に、部分電極３２Ｂまたは部分電極３２Ｃと、部分電極３６Ａとの電位差の面内分布が１フレーム期間内で不変となるように、各部分電極３２Ｂ，３２Ｃ，３６Ａを駆動するようになっている。具体的には、駆動回路５０は、図１７（Ａ），（Ｃ）に示したように、ｒｏｗ選択域の部分電極３６Ａおよびｃｏｌｕｍｎ選択域の部分電極３２Ｂに対して、固定電位（例えばグラウンド電位）を印加するようになっている。さらに、駆動回路５０は、図１７（Ｂ），（Ｄ）に示したように、ｒｏｗ非選択域の部分電極３６Ａ、ｃｏｌｕｍｎ選択域の部分電極３２Ｂおよびｃｏｌｕｍｎ選択域の部分電極３２Ｂ，３２Ｃに対して、位相が互いに同期した交流電位を印加するようになっている。駆動回路５０は、ｒｏｗ非選択域の部分電極３６Ａに対しては、振幅Ｖｒ（ＲＭＳ）の交流電位を印加し、ｃｏｌｕｍｎ選択域の部分電極３２Ｂおよびｃｏｌｕｍｎ選択域の部分電極３２Ｂ，３２Ｃに対しては、振幅Ｖｃ（ＲＭＳ）の交流電位を印加するようになっている。振幅Ｖｒおよび振幅Ｖｃは、互いに等しくなっていることが好ましいが、互いに異なっていてもよい。
【００８３】
図１８は、駆動回路５０が、図１７に示した電圧を部分電極３２Ｂ，３２Ｃ，３６Ａに印加したときの、光変調素子３０ａ，３０ｂの電位の経時変化の一例を表したものである。図１８（Ａ）〜（Ｄ）に示したように、エリアＡの光変調セル３０ｂにだけ、固定電位（例えばグラウンド電位）が印加され、エリアＡの光変調セル３０ａおよびエリアＢ〜Ｄの光変調セル３０ａ，３０ｂには、振幅Ｖｒ，振幅Ｖｃまたは振幅（Ｖｒ＋Ｖｃ＝Ｖｏ）（ＲＭＳ）の交流電位が印加される。ここで、図１９に示したように、光変調セルセル３０ａ，３０ｂに印加される電圧（印加電圧）と、光変調セル３０ａ，３０ｂから出射される照明光の白色度との関係が、図１９の条件１のようになっている場合、エリアＡの光変調セル３０ａおよびエリアＢ〜Ｄの光変調セル３０ａ，３０ｂ内の光変調層３４は、透明領域３０Ａとなっており、これらのセルは、消光状態となっている。このとき、エリアＡの光変調セル３０ｂ内の光変調層３４は、散乱領域３０Ｂとなっており、エリアＡの光変調セル３０ｂは、発光状態となっている。
【００８４】
なお、印加電圧と白色度との関係が、図１９の条件２となっている場合には、光変調セル３０ａ，３０ｂに対して、振幅Ｖｒまたは振幅Ｖｃの交流電位が印加されると、白色度が１とはならず、半分程度にまで小さくなってしまう。従って、光変調セル３０ａ，３０ｂに対して、振幅Ｖｒまたは振幅Ｖｃの交流電位が印加されたときに、白色度が振幅（Ｖｒ＋Ｖｃ）の交流電位が印加されたときと同等の輝度となるような条件となっていることが好ましい。具体的には、振幅Ｖｒおよび振幅Ｖｃは、振幅Ｖｒまたは振幅Ｖｃの交流電位だけが光変調層３４に印加されたときに、光変調層３４が散乱性から透明性に移行する閾値電位と同じか、それよりも大きな値となっていることが好ましい。
【００８５】
図２０は、エリアＡにおいて複数の線状照明光Ｌ１が出射されるとともに、エリアＣにおいて面状照明光Ｌ２が出射されている様子を表したものである。エリアＡでは、例えば、パネル駆動回路２０９は表示パネル２１０の４つの画素２１０−１〜２１０−４を１つの三次元用画素２１０Ｄとして駆動するようになっている。このとき、駆動回路５０は、例えば、三次元用画素２１０Ｄごとに１つずつ散乱領域３０Ｂを形成させ、各画素２１０−１〜２１０−４に、互いに異なる入射角で線状照明光Ｌ１を入射させるようになっている。これにより、各三次元用画素２１０Ｄ内の共通の位置にある画素（例えば、図２０では、２１０−１，２１０−２，２１０−３または２１０−４）には、各線状照明光Ｌ１が略同一の角度で入射する。その結果、各三次元用画素２１０Ｄ内の共通の位置にある画素からは、その画素によって変調された映像光が所定の角度で出力される。このとき、観察者は、例えば、画素２１０−３からの映像光を右目で観察すると同時に、画素２１０−２からの映像光を左目で観察することになる。つまり、観察者は、左右の目で、互いに異なる視差の映像を観察することになる。その結果、観察者は、表示パネル２１０のエリアＡに三次元映像（立体映像）が表示されていると認識する。
【００８６】
エリアＣでは、例えば、パネル駆動回路２０９は表示パネル２１０の個々の画素２１０Ｅ（上記の画素２１０−１，２１０−２，２１０−３または２１０−４に相当する画素）を二次元用画素として駆動するようになっている。このとき、駆動回路５０は、例えば、エリアＣ全体に散乱領域３０Ｂを形成させ、各画素２１０Ｅに面状照明光Ｌ２を入射させるようになっている。これにより、観察者は、表示パネル２１０のエリアＣに二次元映像（平面映像）が表示されていると認識する。
【００８７】
次に、本実施の形態のバックライト２１１の作用および効果について説明する。
【００８８】
本実施の形態のバックライト２１１では、部分電極３２Ｂ，３２Ｃ，３６Ａによって生成される電位差に応じて、光源２０からの光に対して散乱性もしくは透明性を示す光変調層３４がバックライト２１１内に設けられている。これにより、光源２０から発せられ、透明基板３１等を伝播する光は、光変調層３４のうち、電位差制御によって透明性を示す領域（透過領域３０Ａ）を透過し、導光板１０上面において全反射されるか、または高反射率で反射される。一方、透明基板３１等を伝播する光は、光変調層３４のうち、電位差制御によって散乱性を示す領域（散乱領域３０Ｂ）で散乱され、導光板１０の上面を透過する。そのため、バックライト２１１の光射出領域２１１Ａのうち透過領域３０Ａと対応する領域からは、照明光がほとんど出射されない。また、バックライト２１１の光射出領域のうち散乱領域３０Ｂと対応する領域から、照明光が出射される。このように、本実施の形態では、部分電極３２Ｂ，３２Ｃ，３６Ａのレイアウトおよび印加電圧に応じて、光変調層３４の一部から照明光を出射させたり、光変調層３４全体から照明光を出射させたりすることができるので、三次元表示と二次元表示を切り替えることができる。さらに、本実施の形態では、二次元映像、三次元映像、または二次元映像と三次元映像とを混在させた映像を表示パネル２１０に表示させる際に、部分電極３２Ｂまたは部分電極３２Ｃと、部分電極３６Ａとの電位差の面内分布が１フレーム期間内で不変となるように、各部分電極３２Ｂ，３２Ｃ，３６Ａが駆動される。そのため、駆動方法に依って部分電極３２Ｂ，３２Ｃ，３６Ａの数が制限されない。そのため、必要に応じて、部分電極３２Ｂ，３２Ｃ，３６Ａの数を増やし、照明光の面内における部分的な出射をより細かくすることができる。従って、低コストで照明光の面内における部分的な出射をより細かくすることができる。
【００８９】
［変形例］
上記実施の形態では、部分電極３２Ｂ，３２ＣがＹ軸方向と平行な方向（光入射面１０Ａと平行な方向）に延在していたが、例えば、図２１、図２２に示したように、Ｙ軸方向と交差する方向（光入射面１０Ａと交差する方向）に延在していてもよい。この場合、バックライト２１１のエリアＡでは、図２３に示したように、線状照明光Ｌ１が部分電極３２Ｂの延在方向（つまり、光入射面１０Ａと交差する方向）に延在することになる。また、部分電極３２Ｂ，３２Ｃは、例えば、図２４、図２５に示したように、ステップ状（ステップバリア形状）となっていてもよい。この場合、バックライト２１１のエリアＡでは、図２６に示したように、線状照明光Ｌ１もステップ状（ステップバリア形状）になる。なお、本変形例において、部分電極３２Ｂ，３２Ｃの幅は、モアレ低減の観点からは、表示パネル２１０のＲ，Ｇ,Ｂなどのサブピクセルの幅と同一または、その整数倍となっていることが好ましい。
【００９０】
＜２．第２の実施の形態＞
次に、本技術の第２の実施の形態に係る表示装置について説明する。本実施の形態の表示装置では、配向膜３３，３５として垂直用配向膜が用いられており、さらに、図２７，図２８に示したように、光変調層３４に代わって光変調層６４が設けられている。そこで、以下では、光変調層６４について詳細に説明するものとする。
【００９１】
光変調層６４は、電場の大きさに応じて、光源２０からの光に対して散乱性もしくは透明性を示すものである。光変調層６４は、電場が相対的に小さいときに、光源２０からの光に対して透明性を示し、電場が相対的に大きいときに、光源２０からの光に対して散乱性を示すものである。光変調層６４は、例えば、図２７（Ａ）に示したように、バルク６４Ａと、バルク６４Ａ内に分散された微粒子状の複数の微粒子６４Ｂとを含んだ複合層となっている。バルク６４Ａおよび微粒子６４Ｂは光学異方性を有している。
【００９２】
図２７（Ａ）は、電位差無印加時の、微粒子６４Ｂ内の配向状態の一例を模式的に表したものである。なお、図２７（Ａ）において、バルク６４Ａ内の配向状態についての記載を省略した。図２７（Ｂ）は、電位差無印加時の、バルク６４Ａおよび微粒子６４Ｂの屈折率異方性を示す屈折率楕円体の一例を表したものである。図２７（Ｃ）は、電位差無印加時の、正面方向に向かう光Ｌ１と、斜め方向に向かう光Ｌ２とが光変調層６４を透過する様子の一例を模式的表したものである。
【００９３】
図２８（Ａ）は、電位差印加時の、微粒子６４Ｂ内の配向状態の一例を模式的に表したものである。なお、図２８（Ａ）において、バルク６４Ａ内の配向状態についての記載を省略した。図２８（Ｂ）は、電位差印加時の、バルク６４Ａおよび微粒子６４Ｂの屈折率異方性を示す屈折率楕円体の一例を表したものである。図２８（Ｃ）は、電位差印加時の、正面方向に向かう光Ｌ１と、斜め方向に向かう光Ｌ２とが光変調層６４において散乱される様子の一例を模式的表したものである。
【００９４】
バルク６４Ａおよび微粒子６４Ｂは、例えば、図２８（Ａ），（Ｂ）に示したように、電位差無印加時に、バルク６４Ａの光軸ＡＸ３および微粒子６４Ｂの光軸ＡＸ４の向きが互いに一致する（平行となる）構成となっている。なお、光軸ＡＸ３，ＡＸ４とは、偏光方向によらず屈折率が一つの値になるような光線の進行方向と平行な線を指している。また、光軸ＡＸ３および光軸ＡＸ４の向きは常に互いに一致している必要はなく、光軸ＡＸ３の向きと光軸ＡＸ４の向きとが、例えば製造誤差などによって多少ずれていてもよい。
【００９５】
また、微粒子６４Ｂは、例えば、電位差無印加時に、光軸ＡＸ４が導光板１０の光入射面１０Ａと平行となる構成となっている。微粒子６４Ｂは、さらに、例えば、電位差無印加時に、光軸ＡＸ４が透明基板３１，３７の表面と僅かな角度θ３で交差する構成となっている（図２７（Ｂ）参照）。なお、角度θ３については、微粒子６４Ｂを構成する材料を説明する際に詳述する。
【００９６】
一方、バルク６４Ａは、例えば、下側電極３２および上側電極３６間への電圧印加の有無に拘らず、バルク６４Ａの光軸ＡＸ４が一定となる構成となっている。具体的には、バルク６４Ａは、例えば、図２７（Ａ），（Ｂ），図２８（Ａ），（Ｂ）に示したように、バルク６４Ａの光軸ＡＸ３が導光板１０の光入射面１０Ａと平行となると共に透明基板３１，３７の表面と所定の角度θ４で交差する構成となっている。つまり、バルク６４Ａの光軸ＡＸ３は、下側電極３２および上側電極３６間に電圧が印加されていない時に、微粒子６４Ｂの光軸ＡＸ４と平行となっている。
【００９７】
なお、光軸ＡＸ４が常に、導光板１０の光入射面１０Ａと平行となると共に透明基板３１，３７の表面と角度θ３で交差している必要はなく、例えば製造誤差などによって透明基板３１，３７の表面と、角度θ３とは若干異なる角度で交差していてもよい。また、光軸ＡＸ３，ＡＸ４が常に導光板１０の光入射面１０Ａと平行となっている必要はなく、例えば製造誤差などによって導光板１０の光入射面１０Ａと、小さな角度で交差していてもよい。
【００９８】
ここで、バルク６４Ａおよび微粒子６４Ｂの常光屈折率が互いに等しく、かつバルク６４Ａおよび微粒子６４Ｂの異常光屈折率が互いに等しいことが好ましい。この場合に、例えば、下側電極３２および上側電極３６間に電圧が印加されていない時には、図２７（Ｂ）に示したように、正面方向および斜め方向を含むあらゆる方向において屈折率差がほとんどなく、高い透明性が得られる。これにより、例えば、図２７（Ｃ）に示したように、正面方向に向かう光Ｌ１および斜め方向に向かう光Ｌ２は、光変調層６４内で散乱されることなく、光変調層６４を透過する。その結果、上記実施の形態と同様、光源２０からの光Ｌ（斜め方向からの光）は、透明領域３０Ａの界面（透明基板３１または導光板１０と空気との界面）において全反射され、透明領域３０Ａの輝度（黒表示の輝度）が、光変調素子６０を設けていない場合と比べて下がる。
【００９９】
また、バルク６４Ａおよび微粒子６４Ｂは、例えば、電位差印加時には、図２８（Ｂ）に示したように、光軸ＡＸ３および光軸ＡＸ４の向きが互いに異なる（交差する）構成となっている。また、微粒子６４Ｂは、例えば、電位差印加時に、微粒子６４Ｂの光軸ＡＸ４が導光板１０の光入射面１０Ａと平行となると共に透明基板３１，３７の表面と角度θ３よりも大きな角度θ４で交差するか、または透明基板３１，３７の表面と平行となる構成となっている。なお、角度θ４については、微粒子６４Ｂを構成する材料を説明する際に詳述する。
【０１００】
したがって、電位差印加時には、光変調層６４において、正面方向および斜め方向を含むあらゆる方向において屈折率差が大きくなり、高い散乱性が得られる。これにより、例えば、図２８（Ｃ）に示したように、正面方向に向かう光Ｌ１および斜め方向に向かう光Ｌ２は、光変調層６４内で散乱される。その結果、上記実施の形態と同様、例えば、光源２０からの光Ｌ（斜め方向からの光）は、散乱領域３０Ｂの界面（透明基板３１または導光板１０と空気との界面）を透過すると共に、反射板４０側に透過した光は反射板４０で反射され、光変調素子６０を透過する。従って、散乱領域３０Ｂの輝度は、光変調素子６０を設けていない場合と比べて極めて高くなり、しかも、透明領域３０Ａの輝度が低下した分だけ、部分的な白表示の輝度（輝度突き上げ）が大きくなる。
【０１０１】
なお、バルク６４Ａおよび微粒子６４Ｂの常光屈折率は、例えば製造誤差などによって多少ずれていてもよく、例えば、０．１以下であることが好ましく、０．０５以下であることがより好ましい。また、バルク６４Ａおよび微粒子６４Ｂの異常光屈折率についても、例えば製造誤差などによって多少ずれていてもよく、例えば、０．１以下であることが好ましく、０．０５以下であることがより好ましい。
【０１０２】
また、バルク６４Ａの屈折率差（Δｎ0＝異常光屈折率ｎ1−常光屈折率ｎ0）や、微粒子６４Ｂの屈折率差（Δｎ1＝異常光屈折率ｎ3−常光屈折率ｎ2）は、できるだけ大きいことが好ましく、０．０５以上であることが好ましく、０．１以上であることがより好ましく、０．１５以上であることがさらに好ましい。バルク６４Ａおよび微粒子６４Ｂの屈折率差が大きい場合には、光変調層６４の散乱能が高くなり、導光条件を容易に破壊することができ、導光板１０からの光を取り出しやすいからである。
【０１０３】
また、バルク６４Ａおよび微粒子６４Ｂは、電場に対する応答速度が互いに異なっている。バルク６４Ａは、例えば、電場に対して応答しない筋状構造もしくは多孔質構造となっているか、または微粒子６４Ｂの応答速度よりも遅い応答速度を有する棒状構造となっている。バルク６４Ａは、例えば、低分子モノマーを重合化することにより得られた高分子材料によって形成されている。バルク６４Ａは、例えば、微粒子６４Ｂの配向方向または配向膜３３，３５の配向方向に沿って配向した、配向性および重合性を有する材料（例えばモノマー）を熱および光の少なくとも一方によって重合させることにより形成されている。
【０１０４】
一方、微粒子６４Ｂは、例えば、液晶材料を主に含んで構成されており、バルク６４Ａの応答速度よりも十分に早い応答速度を有している。微粒子６４Ｂ内に含まれる液晶材料（液晶分子）は、例えば棒状分子である。微粒子６４Ｂ内に含まれる液晶分子として、負の屈折率異方性を有するもの（いわゆるネガ型液晶）が用いられている。
【０１０５】
ここで、電位差無印加時には、微粒子６４Ｂ内において、液晶分子の長軸方向は、光軸ＡＸ４と平行となっている。このとき、微粒子６４Ｂ内の液晶分子の長軸は、導光板１０の光入射面１０Ａと平行となると共に透明基板３１，３７の法線と僅かな角度θ３で交差している。この角度θ３は、例えば１°程度の小さな角度であり、いわゆるプレチルト角と呼ばれるものである。つまり、微粒子６４Ｂ内の液晶分子は、電位差無印加時には、導光板１０の光入射面１０Ａと平行な面内において角度θ３だけ傾斜した状態で配向している。
【０１０６】
また、電位差印加時には、微粒子６４Ｂ内において、液晶分子の長軸方向は、光軸ＡＸ４と交差（もしくは直交）している。このとき、微粒子６４Ｂ内の液晶分子の長軸は、導光板１０の光入射面１０Ａと平行となると共に透明基板３１，３７の法線と角度θ３よりも大きな角度θ４で交差している。つまり、微粒子６４Ｂ内の液晶分子は、電位差印加時には、導光板１０の光入射面１０Ａと平行な面内において角度θ４だけ傾斜した状態もしくは角度θ４（＝９０°）で横に寝た状態で配向している。
【０１０７】
上記した、配向性および重合性を有するモノマーとしては、光学的に異方性を有しており、かつ液晶と複合する材料であればよいが、本実施の形態では紫外線で硬化する低分子モノマーであることが好ましい。電圧無印加の状態で、液晶と、低分子モノマーを重合化することにより形成されたもの（高分子材料）との光学的異方性の方向が一致していることが好ましいので、紫外線硬化前において、液晶と低分子モノマーが同一方向に配向していることが好ましい。微粒子６４Ｂとして液晶が用いられる場合に、その液晶が棒状分子であるときには、使用するモノマー材料の形状も棒状であることが好ましい。以上のことから、モノマー材料としては重合性と液晶性を併せ持つ材料を用いることが好ましく、例えば、重合性官能基として、アクリレート基、メタクリレート基、アクリロイルオキシ基、メタクリロイルオキシ基、ビニルエーテル基およびエポキシ基からなる群から選ばれた少なくとも１つの官能基を有することが好ましい。これらの官能基は、紫外線、赤外線または電子線を照射したり、加熱したりすることによって重合させることができる。紫外線照射時の配向度低下を抑制するために、多官能基をもつ液晶性材料を添加することもできる。
【０１０８】
次に、本実施の形態のバックライト２１１の作用および効果について説明する。
【０１０９】
本実施の形態のバックライト２１１では、上記実施の形態と同様、部分電極３２Ｂ，３２Ｃ，３６Ａによって生成される電位差に応じて、光源２０からの光に対して散乱性もしくは透明性を示す光変調層６４がバックライト２１１内に設けられている。これにより、光源２０から発せられ、透明基板３１等を伝播する光は、光変調層６４のうち、電位差制御によって透明性を示す領域（透過領域３０Ａ）を透過し、導光板１０上面において全反射されるか、または高反射率で反射される。一方、透明基板３１等を伝播する光は、光変調層６４のうち、電位差制御によって散乱性を示す領域（散乱領域３０Ｂ）で散乱され、導光板１０の上面を透過する。そのため、バックライト２１１の光射出領域２１１Ａのうち透過領域３０Ａと対応する領域からは、照明光がほとんど出射されない。また、バックライト２１１の光射出領域のうち散乱領域３０Ｂと対応する領域から、照明光が出射される。このように、本実施の形態では、部分電極３２Ｂ，３２Ｃ，３６Ａのレイアウトおよび印加電圧に応じて、光変調層６４の一部から照明光を出射させたり、光変調層６４全体から照明光を出射させたりすることができるので、三次元表示と二次元表示を切り替えることができる。さらに、本実施の形態では、二次元映像、三次元映像、または二次元映像と三次元映像とを混在させた映像を表示パネル２１０に表示させる際に、部分電極３２Ｂまたは部分電極３２Ｃと、部分電極３６Ａとの電位差の面内分布が１フレーム期間内で不変となるように、各部分電極３２Ｂ，３２Ｃ，３６Ａが駆動される。そのため、駆動方法に依って部分電極３２Ｂ，３２Ｃ，３６Ａの数が制限されない。そのため、必要に応じて、部分電極３２Ｂ，３２Ｃ，３６Ａの数を増やし、照明光の面内における部分的な出射をより細かくすることができる。従って、低コストで照明光の面内における部分的な出射をより細かくすることができる。
【０１１０】
［変形例］
上記実施の形態では、部分電極３２Ｂ，３２ＣがＹ軸方向と平行な方向（光入射面１０Ａと平行な方向）に延在していたが、例えば、図２１、図２２に示したように、Ｙ軸方向と交差する方向（光入射面１０Ａと交差する方向）に延在していてもよい。この場合、バックライト２１１のエリアＡでは、図２３に示したように、線状照明光Ｌ１が部分電極３２Ｂの延在方向（つまり、光入射面１０Ａと交差する方向）に延在することになる。また、部分電極３２Ｂ，３２Ｃは、例えば、図２４、図２５に示したように、ステップ状（ステップバリア形状）となっていてもよい。この場合、バックライト２１１のエリアＡでは、図２６に示したように、線状照明光Ｌ１もステップ状（ステップバリア形状）になる。なお、本変形例において、部分電極３２Ｂ，３２Ｃの幅は、モアレ低減の観点からは、表示パネル２１０のＲ，Ｇ,Ｂなどのサブピクセルの幅と同一または、その整数倍となっていることが好ましい。
【０１１１】
＜３．第３の実施の形態＞
上記各実施の形態では、バルク３４Ａ，６４Ａは光学的に異方性を有していたが、光学的に等方性を有していてもよい。この場合、バルク３４Ａ，６４Ａは、等方性の低分子材料を硬化させることによって形成されたものであり、光源２０からの光に対して等方性を示す高分子材料によって形成されている。
【０１１２】
以下では、説明の便宜上、光学的に等方性を有するバルクをバルク７４Ａと称するものとする。また、以下では、バルク７４Ａがバルク３４Ａの代わりに用いられている。次に、バルク７４Ａおよび微粒子３４Ｂを含む光変調層７４を備えた光変調素子７０（図示せず）の光学特性について説明する。
【０１１３】
図２９（Ａ）は、電位差無印加時の、微粒子３４Ｂ内の配向状態の一例を模式的に表したものである。なお、バルク７４Ａおよび微粒子３４Ｂは等方性を示しており、配向していない。図２９（Ｂ）は、電位差無印加時の、正面方向に向かう光Ｌ１および斜め方向に向かう光Ｌ２が光変調層７４において散乱される様子の一例を模式的表したものである。
【０１１４】
図３０（Ａ）は、電位差印加時の、微粒子３４Ｂ内の配向状態の一例を模式的に表したものである。なお、バルク７４Ａは、この場合にも等方性を示しており、配向していない。微粒子３４Ｂは、印加電圧方向に配向する。図３０（Ｂ）は、電位差印加時の、正面方向に向かう光Ｌ１および斜め方向に向かう光Ｌ２が光変調層７４を透過する様子の一例を模式的表したものである。
【０１１５】
例えば、電位差無印加時には、微粒子３４Ｂの光軸はランダムな方向を向いており、微粒子３４Ｂ全体としては光学的に等方性を示す。また、例えば、電位差印加時には、微粒子３４Ｂの光軸は、導光板１０の光入射面１０Ａと平行となっており、かつ透明基板３１，３７の表面と直交している。一方、バルク７４Ａは、例えば、下側電極３２および上側電極３６間への電圧印加の有無に拘らず、等方性を示す。
【０１１６】
バルク７４Ａの屈折率と、微粒子３４Ｂの常光屈折率とが互いに等しくなっているか、または、おおむね等しくなっている。バルク７４Ａの屈折率と、微粒子３４Ｂの異常光屈折率とが互いに異なっている。また、バルク７４Ａの屈折率と、微粒子３４Ｂが光学的に等方性を示しているときの屈折率とが互いに異なっている。
【０１１７】
電位差印加時には、透明基板３１，３７の表面と直交する方向において、バルク７４Ａと微粒子３４Ｂとの屈折率差がほとんどなく、透明基板３１，３７の表面と平行な方向において、バルク７４Ａと微粒子３４Ｂとの屈折率差が大きくなっている。これにより、図３０（Ｂ）に示したように、透明基板３１，３７の表面と直交する方向において高い透明性が得られ、透明基板３１，３７の表面と平行な方向において高い散乱性が得られる。その結果、例えば、光源２０からの光Ｌ（斜め方向からの光）が、透明領域３０Ａの界面（透明基板３１または導光板１０と空気との界面）において全反射され、透明領域３０Ａの輝度（黒表示の輝度）が、光変調素子７０を設けていない場合と比べて下がる。従って、視野角の大きい範囲における光の漏洩を低減またはほとんどなくすることができる。
【０１１８】
一方、電位差無印加時には、あらゆる方向において、バルク７４Ａと微粒子３４Ｂとの屈折率差が大きくなる。これにより、図２９（Ｂ）に示したように、高い散乱性が得られる。その結果、例えば、光源２０からの光Ｌ（斜め方向からの光）は、散乱領域３０Ｂの界面（透明基板３１または導光板１０と空気との界面）を透過すると共に、反射板４０側に透過した光は反射板４０で反射され、光変調素子７０を透過する。従って、散乱領域３０Ｂの輝度は、光変調素子７０を設けていない場合と比べて極めて高くなり、しかも、透明領域３０Ａの輝度が低下した分だけ、部分的な白表示の輝度（輝度突き上げ）が大きくなる。
【０１１９】
図３１は、本実施の形態において部分電極３２Ｂ，３２Ｃ，３６Ａに印加される種々の電圧波形の一例を表したものである。図３１電圧波形は、光変調層７４が、電圧印加時に透過状態となり、電圧無印加時に散乱状態となるノーマリーホワイト型の構成となっていることを前提としたものである。
【０１２０】
駆動回路５０は、部分電極３２Ｂまたは部分電極３２Ｃと、部分電極３６Ａとの電位差の面内分布が１フレーム期間内で不変となるように、各部分電極３２Ｂ，３２Ｃ，３６Ａを駆動するようになっている。具体的には、駆動回路５０は、図３１（Ｂ），（Ｄ）に示したように、ｒｏｗ非選択域の部分電極３６Ａ、ｃｏｌｕｍｎ選択域の部分電極３２Ｂおよびｃｏｌｕｍｎ非選択域の部分電極３２Ｂ，３２Ｃに対して、固定電位（例えばグラウンド電位）を印加するようになっている。さらに、駆動回路５０は、図３１（Ａ），（Ｃ）に示したように、ｒｏｗ選択域の部分電極３６Ａおよびｃｏｌｕｍｎ選択域の部分電極３２Ｃに対して、位相が互いに同期した交流電位を印加するようになっている。駆動回路５０は、ｒｏｗ選択域の部分電極３６Ａに対しては、振幅Ｖｒの交流電位を印加し、ｃｏｌｕｍｎ選択域の部分電極３２Ｃに対しては、振幅Ｖｃの交流電位を印加するようになっている。振幅Ｖｒおよび振幅Ｖｃは、互いに等しくなっていることが好ましいが、互いに異なっていてもよい。
【０１２１】
図３２は、駆動回路５０が、図３１に示した電圧を部分電極３２Ｂ，３２Ｃ，３６Ａに印加したときの、光変調セル３０ａ，３０ｂの電位の経時変化の一例を表したものである。図３２（Ａ）〜（Ｄ）に示したように、エリアＡの光変調セル３０ｂに、振幅（Ｖｒ＋Ｖｃ）の交流電位が印加され、エリアＡの光変調セル３０ａおよびエリアＢ〜Ｄの光変調セル３０ａ，３０ｂには、振幅Ｖｒもしくは振幅Ｖｃの交流電位、または固定電位（例えばグラウンド電位）が印加される。ここで、図３３に示したように、光変調セル３０ａ，３０ｂに印加される電圧（印加電圧）と、光変調セル３０ａ，３０ｂから出射される照明光の白色度との関係が、図３３の条件１のようになっている場合、エリアＡの光変調セル３０ａおよびエリアＢ〜Ｄの光変調セル３０ａ，３０ｂ内の光変調層７４は、透明領域３０Ａとなっており、これらのセルは、消光状態となっている。このとき、エリアＡの光変調セル３０ｂ内の光変調層７４は、散乱領域３０Ｂとなっており、エリアＡの光変調セル３０ｂは、発光状態となっている。
【０１２２】
なお、印加電圧と白色度との関係が、図３３の条件２となっている場合には、光変調セル３０ａ，３０ｂに対して、振幅Ｖｒまたは振幅Ｖｃの交流電位が印加されると、白色度が１とはならず、半分程度にまで小さくなってしまう。従って、光変調セル３０ａ，３０ｂに対して、振幅Ｖｒまたは振幅Ｖｃの交流電位が印加されたときに、白色度が振幅（Ｖｒ＋Ｖｃ）の交流電位が印加されたときと同等の輝度となるような条件となっていることが好ましい。具体的には、振幅Ｖｒおよび振幅Ｖｃは、振幅Ｖｒまたは振幅Ｖｃの交流電位だけが光変調層３４に印加されたときに、光変調層７４が散乱性から透明性に移行する閾値電位と同じか、それよりも小さな値となっていることが好ましい。
【０１２３】
次に、本実施の形態のバックライト２１１の作用および効果について説明する。
【０１２４】
本実施の形態のバックライト２１１では、部分電極３２Ｂ，３２Ｃ，３６Ａによって生成される電位差に応じて、光源２０からの光に対して散乱性もしくは透明性を示す光変調層７４がバックライト２１１内に設けられている。これにより、光源２０から発せられ、透明基板３１等を伝播する光は、光変調層７４のうち、電位差制御によって透明性を示す領域（透過領域３０Ａ）を透過し、導光板１０上面において全反射されるか、または高反射率で反射される。一方、透明基板３１等を伝播する光は、光変調層７４のうち、電位差制御によって散乱性を示す領域（散乱領域３０Ｂ）で散乱され、導光板１０の上面を透過する。そのため、バックライト２１１の光射出領域２１１Ａのうち透過領域３０Ａと対応する領域からは、照明光がほとんど出射されない。また、バックライト２１１の光射出領域のうち散乱領域３０Ｂと対応する領域から、照明光が出射される。このように、本実施の形態では、部分電極３２Ｂ，３２Ｃ，３６Ａのレイアウトおよび印加電圧に応じて、光変調層７４の一部から照明光を出射させたり、光変調層７４全体から照明光を出射させたりすることができるので、三次元表示と二次元表示を切り替えることができる。さらに、本実施の形態では、二次元映像、三次元映像、または二次元映像と三次元映像とを混在させた映像を表示パネル２１０に表示させる際に、部分電極３２Ｂまたは部分電極３２Ｃと、部分電極３６Ａとの電位差の面内分布が１フレーム期間内で不変となるように、各部分電極３２Ｂ，３２Ｃ，３６Ａが駆動される。そのため、駆動方法に依って部分電極３２Ｂ，３２Ｃ，３６Ａの数が制限されない。そのため、必要に応じて、部分電極３２Ｂ，３２Ｃ，３６Ａの数を増やし、照明光の面内における部分的な出射をより細かくすることができる。従って、低コストで照明光の面内における部分的な出射をより細かくすることができる。
【０１２５】
［変形例］
上記実施の形態では、部分電極３２Ｂ，３２ＣがＹ軸方向と平行な方向（光入射面１０Ａと平行な方向）に延在していたが、例えば、図２１、図２２に示したように、Ｙ軸方向と交差する方向（光入射面１０Ａと交差する方向）に延在していてもよい。この場合、バックライト２１１のエリアＡでは、図２３に示したように、線状照明光Ｌ１が部分電極３２Ｂの延在方向（つまり、光入射面１０Ａと交差する方向）に延在することになる。また、部分電極３２Ｂ，３２Ｃは、例えば、図２４、図２５に示したように、ステップ状（ステップバリア形状）となっていてもよい。この場合、バックライト２１１のエリアＡでは、図２６に示したように、線状照明光Ｌ１もステップ状（ステップバリア形状）になる。なお、本変形例において、部分電極３２Ｂ，３２Ｃの幅は、モアレ低減の観点からは、表示パネル２１０のＲ，Ｇ,Ｂなどのサブピクセルの幅と同一または、その整数倍となっていることが好ましい。
【０１２６】
＜４．変形例＞
以上、実施の形態およびその変形例を挙げて本技術を説明したが、本技術は上記実施の形態等に限定されるものではなく、種々変形が可能である。
【０１２７】
例えば、上記実施の形態等において、例えば、図３４または図３５に示したように、駆動回路５０が表示パネル２１０を時分割に駆動するようになっていてもよい。この場合に、駆動回路５０は、所定の周期内において、表示パネル２１０の表示が、視差の数と等しい数の画素行内で１画素行ずつ順次切り換わるのと同期して、バックライト２１１からの帯状照明光の出力箇所を切り替える。例えば、駆動回路５０は、１フレーム期間（例えば１／６０秒）内において、表示パネル２１０の表示が、４画素行内で１画素行ずつ順次切り換わるのと同期して、バックライト２１１からの帯状照明光の出力箇所を切り替える。このとき、表示パネル２１０を駆動する駆動回路（図示せず）は、１フレーム期間内において、表示パネル２１０の表示が、視差の数と等しい数の画素行内で１画素行ずつ順次切り換わるように、各画素に対して映像信号に対応する電圧を印加する。このように、切り替えを高速に行うことにより、観察者は、瞬間に光っている画素数の４倍の画素を知覚するようになり、実質的な解像度をあげることができる。
【０１２８】
また、上記実施の形態等では、光変調素子３０，６０，７０は、導光板１０の内部に設けられていたが、例えば、図３６に示したように、導光板１０の上面に空気層を介さずに密着して接合されていてもよい。また、光変調素子３０，６０，７０は、例えば、図３７に示したように、導光板１０の背後（下面）に空気層を介さずに密着して接合されていてもよい。さらに、この場合に、光変調素子３０，６０，７０の下側電極３２が、金属などの光反射材料で構成されていてもよい。この場合には、例えば、図３８に示したように、反射板４０を省略することも可能である。
【０１２９】
また、第３の実施の形態では、互いに隣り合う部分電極３２Ａの間に隙間が設けられていたが、例えば、図３９に示したように、互いに隣り合う部分電極３２Ａの一部が、上から見たときに、重なり合っていてもよい。また、図示しないが、互いに隣り合う部分電極３２Ａ同士が、上から見たときに、隙間なく配置されていてもよい。さらに、例えば、図４０に示したように、互いに隣り合う部分電極３６Ａの一部が、上から見たときに、重なり合っていてもよい。また、図示しないが、互いに隣り合う部分電極３６Ａ同士が、上から見たときに、隙間なく配置されていてもよい。
【０１３０】
また、上記実施の形態等において、駆動回路５０は、部分電極３２Ａへ印加していた電圧を部分電極３６Ａへ印加し、部分電極３６Ａへ印加していた電圧を部分電極３２Ａへ印加するようにしてもよい。例えば、図４１、図４２に示したように、部分電極３６Ａが、部分電極３２Ｂとして機能する部分電極３６Ｂと、部分電極３２Ｃとして機能する部分電極３６Ｃとにより構成されている場合に、駆動回路５０は、部分電極３２Ｂへ印加していた電圧を部分電極３６Ｂへ印加し、部分電極３２Ｃへ印加していた電圧を部分電極３６Ｃへ印加するようにしてもよい。なお、部分電極３６Ａは、例えば、図４３、図４４に示したように、Ｘ軸方向と交差する方向（光入射面１０Ａと直交以外の角度で交差する方向）に延在していてもよい。また、部分電極３６Ａは、例えば、図４５、図４６に示したように、ステップ状（ステップバリア形状）となっていてもよい。なお、部分電極３６Ａが、図４３〜図４６に記載の構成となっている場合、部分電極３２Ａは、図６、図８に示したように、Ｙ軸方向に延在していることが好ましい。また、本変形例において、部分電極３６Ｂ，３６Ｃの幅は、モアレ低減の観点からは、表示パネル２１０のＲ，Ｇ,Ｂなどのサブピクセルの幅と同一または、その整数倍となっていることが好ましい。
【０１３１】
また、例えば、本技術は以下のような構成を取ることができる。
（１）
映像を表示する表示パネルと、
前記表示パネルを照明する照明装置と、
前記表示パネルおよび前記照明装置を駆動する駆動回路と
を備え、
前記照明装置は、
離間して互いに対向配置された第１透明基板および第２透明基板と、
前記第１透明基板または前記第２透明基板の端面に光を照射する光源と、
前記第１透明基板および前記第２透明基板の間隙に設けられ、かつ電位差に応じて、前記光源からの光に対して散乱性もしくは透明性を示す光変調層と、
前記光変調層を挟み込む第１電極および第２電極と
を有し、
前記第１電極および前記第２電極は、ともに、複数の帯状電極からなり、
前記第１電極の帯状電極と、前記第２電極の帯状電極とは、互いに交差する方向に延在しており、
前記駆動回路は、二次元映像、三次元映像、または二次元映像と三次元映像とを混在させた映像を前記表示パネルに表示させる際に、前記第１電極の帯状電極と、前記第２電極の帯状電極との電位差の面内分布が１フレーム期間内で一定となるように、各帯状電極を駆動するようになっている
表示装置。
（２）
前記駆動回路は、二次元映像の表示領域に対応する第１領域において面発光となるように各帯状電極を駆動し、三次元映像の表示領域に対応する第２領域において線状発光となるように各帯状電極を駆動するようになっている
（１）に記載の表示装置。
（３）
前記第２電極の複数の帯状電極は、前記面発光の生成に用いられる複数の第１帯状電極と、前記面発光および前記線状発光の生成に用いられる複数の第２帯状電極とからなる
（１）または（２）に記載の表示装置。
（４）
前記光変調層は、電圧印加時に散乱状態となり、電圧無印加時に透過状態となるノーマリーブラックの構成となっており、
前記駆動回路は、二次元映像と三次元映像とを混在させた映像を前記表示パネルに表示させる際に、前記第１電極を構成する複数の帯状電極のうち前記第２領域を通過する帯状電極と、前記複数の第１帯状電極のうち前記第２領域を通過する帯状電極とに対して、固定電位を印加し、
前記駆動回路は、二次元映像と三次元映像とを混在させた映像を前記表示パネルに表示させる際に、前記第１電極を構成する複数の帯状電極のうち前記第２領域を通過しない帯状電極と、前記複数の第１帯状電極のうち前記第２領域を通過しない帯状電極と、各第２帯状電極とに対して、位相が互いに同期した交流電位を印加するようになっている
（３）に記載の表示装置。
（５）
前記固定電位は、グラウンド電位であり、
前記交流電位の振幅（ＲＭＳ）は、当該交流電位だけが前記光変調層に印加されたときに、前記光変調層が透明性から散乱性に移行する閾値電位と同じか、それよりも大きな値となっている
（４）記載の表示装置。
（６）
前記光変調層は、電圧印加時に透過状態となり、電圧無印加時に散乱状態となるノーマリーホワイトの構成となっており、
前記駆動回路は、二次元映像と三次元映像とを混在させた映像を前記表示パネルに表示させる際に、前記第１電極を構成する複数の帯状電極のうち前記第２領域を通過しない帯状電極と、各第２帯状電極と、前記複数の第１帯状電極うち前記第２領域を通過する帯状電極とに対して、固定電位を印加し、
前記駆動回路は、二次元映像と三次元映像とを混在させた映像を前記表示パネルに表示させる際に、前記第１電極を構成する複数の帯状電極のうち前記第２領域を通過する帯状電極と、前記複数の第１帯状電極のうち前記第２領域を通過しない帯状電極とに対して、固定電位を印加するようになっている
（３）に記載の表示装置。
（７）
前記固定電位は、グラウンド電位であり、
前記交流電位の振幅（ＲＭＳ）は、当該交流電位だけが前記光変調層に印加されたときに、前記光変調層が散乱性から透明性に移行する閾値電位と同じか、それよりも小さな値となっている
（６）に記載の表示装置。
【符号の説明】
【０１３２】
１０…導光板、１０Ａ…光入射面、２０…光源、３０，６０，７０…光変調素子、３０−１，３０ａ，３０ｂ…光変調セル、３０Ａ…透明領域、３０Ｂ…散乱領域、３１，３７…透明基板、３２…下側電極、３２Ａ，３２Ｂ，３２Ｃ，３６Ａ…部分電極、３３，３５…配向膜、３４，６４，７４…光変調層、３４Ａ，６４Ａ，７４Ａ…バルク、３４Ｂ，６４Ｂ…微粒子、３６…上側電極、４０…反射板、５０…駆動回路、６０…拡散シート、１００…送信側装置、１００Ａ…テレビ放送信号、２００…受信側装置、２０１…アンテナ端子、２０２…デジタルチューナ、２０３…デマルチプレクサ、２０４…演算回路、２０４Ａ…制御信号、２０５…メモリ、２０６…デコーダ、２０７…映像信号処理回路、２０８…グラフィック生成回路、２０９…パネル駆動回路、２１０…表示パネル、２１０Ａ…液晶パネル、２１０Ｂ，２１０Ｃ…偏光板、２１０Ｄ…三次元用画素、２１０Ｅ，２１０−１〜２１０−４…画素、２１１…バックライト、２１１−１…２Ｄ表示領域、２１１−２…３Ｄ表示領域、２１２…音声信号処理回路、２１３…音声増幅回路、２１４…スピーカ、２１５…リモコン受信回路、２１６…リモコン送信機、２２０…低屈折率材料層、ＡＸ１〜ＡＸ４…光軸、ＡＸ１０，ＡＸ１１…透過軸、Ｌ１…線状照明光、Ｌ２…面状照明光、θ１〜θ４…角度。
【図１】
0005906649.tif 000002
【図２】
0005906649.tif 000003
【図３】
0005906649.tif 000004
【図４】
0005906649.tif 000005
【図５】
0005906649.tif 000006
【図６】
0005906649.tif 000007
【図７】
0005906649.tif 000008
【図８】
0005906649.tif 000009
【図９】
0005906649.tif 000010
【図１０】
0005906649.tif 000011
【図１１】
0005906649.tif 000012
【図１２】
0005906649.tif 000013
【図１３】
0005906649.tif 000014
【図１４】
0005906649.tif 000015
【図１５】
0005906649.tif 000016
【図１６】
0005906649.tif 000017
【図１７】
0005906649.tif 000018
【図１８】
0005906649.tif 000019
【図１９】
0005906649.tif 000020
【図２０】
0005906649.tif 000021
【図２１】
0005906649.tif 000022
【図２２】
0005906649.tif 000023
【図２３】
0005906649.tif 000024
【図２４】
0005906649.tif 000025
【図２５】
0005906649.tif 000026
【図２６】
0005906649.tif 000027
【図２７】
0005906649.tif 000028
【図２８】
0005906649.tif 000029
【図２９】
0005906649.tif 000030
【図３０】
0005906649.tif 000031
【図３１】
0005906649.tif 000032
【図３２】
0005906649.tif 000033
【図３３】
0005906649.tif 000034
【図３４】
0005906649.tif 000035
【図３５】
0005906649.tif 000036
【図３６】
0005906649.tif 000037
【図３７】
0005906649.tif 000038
【図３８】
0005906649.tif 000039
【図３９】
0005906649.tif 000040
【図４０】
0005906649.tif 000041
【図４１】
0005906649.tif 000042
【図４２】
0005906649.tif 000043
【図４３】
0005906649.tif 000044
【図４４】
0005906649.tif 000045
【図４５】
0005906649.tif 000046
【図４６】
0005906649.tif 000047